(57)【要約】【課題】駆動中でもエージング動作を可能にするエレクトロ−ルミネセンス表示パネルの駆動方法及び装置を提供する。【解決手段】本発明の駆動方法は、複数のスキャンライン(SL1〜SLn）と複数のデータライン(DL1〜DLm)との交差部毎に形成されたエレクトロ−ルミネセンスセルをライン順に発光させるスキャン期間(SPD)と、逆バイアス印加により前記エレクトロ−ルミネセンスセルを同時にエージングするエージング期間(APD)とを含み、前記スキャン期間及びエージング期間がフレーム(Fi)毎に繰り返す。そして、ｎ個のスキャンラインに、発光期間(LPD)に供給された第１スキャンハイ電圧より大きき電圧の第２スキャンハイ電圧を供給し、ｍ個のデータラインにロー電圧を供給してエージング効果をより高める。【選択図】図３
2006058889.tif 000002
【特許請求の範囲】
【請求項１】
複数のスキャンラインと複数のデータラインとの交差部毎に形成されたエレクトロルミネセンスセルをライン順に発光させるスキャン期間と、逆バイアス印加により前記エレクトロルミネセンスセルを同時にエージングするエージング期間とを含み、前記スキャン期間及びエージング期間がフレーム毎に繰り返されることを特徴とするエレクトロルミネセンス表示パネルの駆動方法。
【請求項２】
前記エージング期間において、前記複数のスキャンラインにスキャンハイ電圧が供給され、前記複数のデータラインにロー電圧が供給されることを特徴とする請求項１に記載のエレクトロルミネセンス表示パネルの駆動方法。
【請求項３】
前記スキャン期間において、イネーブルさせるためのスキャンラインにスキャンロー電圧が供給され、ディスエーブルさせるためのスキャンラインに第１スキャンハイ電圧が供給され、前記エージング期間において、前記複数のスキャンラインに前記第１スキャンハイ電圧より大きい第２スキャンハイ電圧が供給されることを特徴とする請求項１に記載のエレクトロルミネセンス表示パネルの駆動方法。
【請求項４】
複数のスキャンラインと複数のデータラインとの交差部毎に形成されたエレクトロルミネセンスセルを発光させるスキャン期間と、前記複数のデータラインをフローティングさせながら隣接したスキャンライン間に電圧差を有するようにして前記エレクトロルミネセンスセルがセルフ−エージングされるエージング期間とを含むことを特徴とするエレクトロルミネセンス表示パネルの駆動方法。
【請求項５】
前記エージング期間において、前記隣接したスキャンラインに相反するエージング電圧が印加されることを特徴とする請求項４に記載のエレクトロルミネセンス表示パネルの駆動方法。
【請求項６】
前記エージング期間において、奇数スキャンラインにハイ及びローのエージング電圧のうちいずれか一つのエージング電圧が、偶数スキャンラインに前記奇数スキャンラインと相反するエージング電圧が印加されることを特徴とする請求項４に記載のエレクトロルミネセンス表示パネルの駆動方法。
【請求項７】
前記エージング期間において、前記複数のスキャンラインの各々に印加されたエージング電圧が少なくとも一回反転されることを特徴とする請求項５に記載のエレクトロルミネセンス表示パネルの駆動方法。
【請求項８】
前記エージング期間において、前記複数のスキャンラインの各々に印加されたエージング電圧が少なくとももう一回反転されることを特徴とする請求項６に記載のエレクトロルミネセンス表示パネルの駆動方法。
【請求項９】
前記エージング期間は複数の期間に分割されて、その分割された期間の境界地点毎に前記複数のスキャンラインの各々に印加されたエージング電圧が反転されることを特徴とする請求項５に記載のエレクトロルミネセンス表示パネルの駆動方法。
【請求項１０】
前記エージング期間は複数の期間に分割されて、その分割された期間の境界地点毎に前記複数のスキャンラインの各々に印加されたエージング電圧が反転されることを特徴とする請求項６に記載のエレクトロルミネセンス表示パネルの駆動方法。
【請求項１１】
前記スキャン期間において、イネーブルさせるためのスキャンラインにスキャンロー電圧が供給され、ディスイネーブルさせるためのスキャンラインに第１スキャンハイ電圧が供給され、また、前記エージング期間において、前記第１スキャンハイ電圧より大きいかまたは同一の第２スキャンハイ電圧が、前記ハイエージング電圧として供給され、前記スキャンロー電圧が前記ローエージング電圧として供給されることを特徴とする請求項６に記載のエレクトロルミネセンス表示パネルの駆動方法。
【請求項１２】
前記スキャン期間及びエージング期間がフレーム毎に繰り返されることを特徴とする請求項４に記載のエレクトロルミネセンス表示パネルの駆動方法。
【請求項１３】
複数のスキャンラインと複数のデータラインとの交差部毎に形成されたエレクトロルミネセンスセルを発光させるスキャン期間と、前記複数のデータラインをフローティングさせながら隣接したスキャンライン間に多段階の電圧差を有するようにして前記エレクトロルミネセンスセルがセルフ−エージングされるエージング期間とを含むことを特徴とするエレクトロルミネセンス表示パネルの駆動方法。
【請求項１４】
前記エージング期間において、前記隣接したスキャンラインに互いに相反される順で可変する多段階のエージング電圧が印加されたことを特徴とする請求項１３に記載のエレクトロルミネセンス表示パネルの駆動方法。
【請求項１５】
前記エージング期間は、前記隣接したスキャンラインに同一のエージング電圧を印加する中和ステップを更に含むことを特徴とする請求項１３に記載のエレクトロルミネセンス表示パネルの駆動方法。
【請求項１６】
前記エージング期間において、前記スキャンラインに奇数スキャンラインと偶数スキャンラインとの間の電圧差が順番に増加または減少する多段階のエージング電圧が印加されることを特徴とする請求項１３に記載のエレクトロルミネセンス表示パネルの駆動方法。
【請求項１７】
前記エージング期間において、前記スキャンラインに奇数スキャンラインと偶数スキャンラインとの間の電圧差が順番に増加して減少するか、または減少して増加する多段階のエージング電圧が印加されることを特徴とする請求項１３に記載のエレクトロルミネセンス表示パネルの駆動方法。
【請求項１８】
前記エージング期間において、奇数スキャンラインに多段階に可変されるエージング電圧が、偶数スキャンラインに前記奇数スキャンラインと相反される順で可変するエージング電圧が印加されることを特徴とする請求項１３に記載のエレクトロルミネセンス表示パネルの駆動方法。
【請求項１９】
前記エージング期間において、奇数スキャンライン及び偶数スキャンラインのうちいずれか一つのスキャンラインに順番に増加する多段階のエージング電圧が、残りのスキャンラインに順番に減少する多段階のエージング電圧が印加されたことを特徴とする請求項１３に記載のエレクトロルミネセンス表示パネルの駆動方法。
【請求項２０】
前記エージング期間において、奇数スキャンライン及び偶数スキャンラインのうちいずれか一つのスキャンラインに順番に増加して減少する多段階のエージング電圧が、残りのスキャンラインに順番に減少して増加する多段階のエージング電圧が印加されることを特徴とする請求項１３に記載のエレクトロルミネセンス表示パネルの駆動方法。
【請求項２１】
前記エージング期間において、奇数スキャンライン及び偶数スキャンラインのうちいずれか一つのスキャンラインに順番に増加または減少する多段階のエージング電圧が印加されて、残りのスキャンラインに一定の電圧が印加されることを特徴とする請求項１３に記載のエレクトロルミネセンス表示パネルの駆動方法。
【請求項２２】
前記エージング期間において、奇数スキャンライン及び偶数スキャンラインのうちいずれか一つのスキャンラインに順番に増加して減少するか、または、順番に減少して増加する多段階のエージング電圧が印加されて、残りのスキャンラインに一定の電圧が印加されることを特徴とする請求項１３に記載のエレクトロルミネセンス表示パネルの駆動方法。
【請求項２３】
前記多段階のエージング電圧は、前記スキャン期間において、前記スキャンラインにディスエーブル電圧として供給されたスキャンハイ電圧より大きいか、または、同一の最高エージング電圧と、イネーブル電圧として供給されたスキャンロー電圧のような最低のエージング電圧との間の電圧が、多段階に分圧された電圧であることを特徴とする請求項１６に記載のエレクトロルミネセンス表示パネルの駆動方法。
【請求項２４】
前記多段階のエージング電圧は、前記スキャン期間において、前記スキャンラインにディスエーブル電圧として供給されたスキャンハイ電圧より大きいか、または、同一の最高エージング電圧と、イネーブル電圧として供給されたスキャンロー電圧のような最低のエージング電圧との間の電圧が、多段階に分圧された電圧であることを特徴とする請求項１８に記載のエレクトロルミネセンス表示パネルの駆動方法。
【請求項２５】
前記エージング期間内において、多段階のエージング電圧が繰り返されることを特徴とする請求項１６に記載のエレクトロルミネセンス表示パネルの駆動方法。
【請求項２６】
前記エージング期間内において、多段階のエージング電圧が繰り返されることを特徴とする請求項１８に記載のエレクトロルミネセンス表示パネルの駆動方法。
【請求項２７】
前記スキャン期間及びエージング期間がフレーム毎に繰り返されることを特徴とする請求項１３に記載のエレクトロルミネセンス表示パネルの駆動方法。
【請求項２８】
複数のスキャンラインと複数のデータラインとの交差部毎に形成された有機発行セルをスキャン期間に発光させる段階と、前記スキャン期間の直後のエージング期間に前記複数のスキャンラインをフローティングさせながら、隣接したデータライン間に電圧差を有するようにして、前記有機発光セルをセルフエージングする段階とを含むことを特徴とするエレクトロルミネセンス表示パネルの駆動方法。
【請求項２９】
前記エージング期間において、前記データラインに接続されたi番目のサブ画素に、第１〜第３電圧のうちいずれか一つを供給し、また、前記 i番目のサブ画素に隣接するサブ画素に前記i番目に供給された電圧と異なる電圧が供給されることを特徴とする請求項２８に記載のエレクトロルミネセンス 表示パネルの駆動方法。
【請求項３０】
前記各サブ画素に供給される電圧は、前記各サブ画素で形成された画素単位で繰り返して印加されることを特徴とする請求項２９に記載のエレクトロルミネセンス表示パネルの駆動方法。
【請求項３１】
前記エージング期間において、前記データラインと接続された各サブ画素の各々に、互いに異なる第１〜第３電圧が印加されることを特徴とする請求項２８に記載のエレクトロルミネセンス表示パネルの駆動方法。
【請求項３２】
前記第１〜第３電圧は、各サブ画素で形成された画素単位で繰り返して印加されることを特徴とする請求項３１に記載のエレクトロルミネセンス表示パネルの駆動方法。
【請求項３３】
前記第２電圧は、前記第１電圧と電圧レベルが相異なり、第３電圧は、前記データラインをフローティングさせることによって形成される電圧であることを特徴とする請求項２９に記載のエレクトロルミネセンス表示パネルの駆動方法。
【請求項３４】
前記第２電圧は、前記第１電圧と電圧レベルが相異なり、第３電圧は、前記データラインをフローティングさせることによって形成される電圧であることを特徴とする請求項３１に記載のエレクトロルミネセンス表示パネルの駆動方法。
【請求項３５】
スキャンラインとデータラインとの交差部毎にエレクトロルミネセンスセルが形成されたエレクトロルミネセンス表示パネルと、
各フレームがスキャン期間及びエージング期間を含むように、前記スキャン期間では前記スキャンラインにライン順にスキャンパルスを供給し、前記エージング期間では前記スキャンラインの全体にエージングハイ電圧を供給するスキャンドライバと、
前記スキャン期間では前記データラインにデータ信号を、前記エージング期間では前記エレクトロルミネセンスセルの全体が逆バイアス状態になるようにエージングロー電圧を供給するデータ駆動部とを備えることを特徴とするエレクトロルミネセンス表示パネルの駆動装置。
【請求項３６】
前記スキャンドライバは、前記スキャン期間において、前記スキャンパルスとしてスキャンロー電圧を供給し、前記スキャン期間において、ディスエーブルされたスキャンラインに第１スキャンハイ電圧を供給し、さらに前記第１スキャンハイ電圧より大きい第２スキャンハイ電圧を前記エージングハイ電圧として供給することを特徴とする請求項３５に記載のエレクトロルミネセンス 表示パネルの駆動装置。
【請求項３７】
前記スキャンドライバは、スタートパルスをシフトさせて各々の出力信号と次の段のスタートパルスを供給する複数のステージと、前記エージング期間を確保するために、前記ステージのうち、最後のステージの出力信号をシフトさせる複数のダミーステージとを有するシフトレジスタと、
前記シフトレジスタの出力信号の各々をレベルシフティングし、前記スキャンラインの各々に供給する複数のレベルシフタを有するレベルシフタ部とを備えることを特徴とする請求項３６に記載のエレクトロルミネセンス表示パネルの駆動装置。
【請求項３８】
前記複数のステージの各々は、前記シフトされたスタートパルスに相当する第１電圧の出力信号を、その他には第２電圧の出力信号を供給することを特徴とする請求項３７に記載のエレクトロルミネセンス表示パネルの駆動装置。
【請求項３９】
前記複数のレベルシフタの各々は、前記第１電圧の出力信号が入力されると前記スキャンロー電圧を選択し、前記第２電圧の出力信号が入力されると前記スキャン期間では前記第１スキャンハイ電圧を選択し、また、前記エージング期間では前記第２スキャンハイ電圧を選択し、該スキャンラインに前記選択された電圧を供給することを特徴とする請求項３８に記載のエレクトロルミネセンス表示パネルの駆動装置。
【請求項４０】
前記複数のレベルシフタの各々には、前記スキャンロー電圧と第１及び第２スキャンハイ電圧とが各々供給されることを特徴とする請求項３９に記載のエレクトロルミネセンス表示パネルの駆動装置。
【請求項４１】
スキャン期間では、データラインにデータ信号を印加し、エージング期間では前記データラインをフローティングさせるデータドライバと、
前記スキャン期間では、スキャンラインにスキャンパルスを印加し、前記エージング期間では隣接したスキャンラインが電圧差を有するようにするスキャンドライバと、
前記スキャンラインと前記データラインとの交差部毎に形成されたエレクトロルミネセンスセルを備え、前記スキャン期間では、前記エレクトロルミネセンスセルが前記データ信号に従って発光し、前記エージング期間では、前記エレクトロルミネセンスセルがセルフ−エージングされるエレクトロルミネセンス表示パネルとを備えることを特徴とするエレクトロルミネセンス表示パネルの駆動装置。
【請求項４２】
前記スキャンドライバは、前記エージング期間において、前記隣接したスキャンラインに相反されるエージング電圧を印加することを特徴とする請求項４１に記載のエレクトロルミネセンス表示パネルの駆動装置。
【請求項４３】
前記スキャンドライバは、前記エージング期間において、奇数スキャンラインにハイ及びローのエージング電圧のうちいずれか一つのエージング電圧を、偶数スキャンラインには前記奇数スキャンラインと相反されるエージング電圧を印加することを特徴とする請求項４１に記載のエレクトロルミネセンス表示パネルの駆動装置。
【請求項４４】
前記スキャンドライバは、前記スキャン期間及びエージング期間をフレーム毎に繰り返すことを特徴とする請求項４１に記載のエレクトロルミネセンス表示パネルの駆動装置。
【請求項４５】
前記スキャンドライバは、スタートパルスをシフトさせて各々の出力信号と次の段のスタートパルスを供給する複数のステージと、前記エージング期間を確保するために前記ステージのうち、最後のステージの出力信号をシフトさせる複数のダミーステージを有するシフトレジスタと、
前記シフトレジスタの出力信号の各々をレベルシフトし、前記スキャン期間で前記スキャンパルスを前記スキャンラインに供給し、かつ前記エージング期間で前記隣接したスキャンラインに相反されるエージング電圧を供給する複数のレベルシフタを有するレベルシフタ部と、を備えることを特徴とする請求項４１に記載のエレクトロルミネセンス表示パネルの駆動装置。
【請求項４６】
前記スキャンドライバは、スタートパルスをシフトさせて各々の出力信号と次の段のスタートパルスを供給する複数のステージを有するシフトレジスタと、
前記シフトレジスタの出力信号の各々をレベルシフトして前記スキャン期間で前記スキャンパルスを前記スキャンラインに供給し、かつ前記エージング期間で前記隣接したスキャンラインに相反されるエージング電圧を供給する複数のレベルシフタを有するレベルシフタ部と、を備えることを特徴とする請求項４１に記載のエレクトロルミネセンス表示パネルの駆動装置。
【請求項４７】
前記スキャン期間の次に前記エージング期間が含まれるように、次のフレームのスタートパルスが遅延されて供給されることを特徴とする請求項４６に記載のエレクトロルミネセンス表示パネルの駆動装置。
【請求項４８】
前記複数のステージの各々は、前記シフトされたスタートパルスに相当するイネーブル信号を供給し、前記レベルシフタタ部は、前記エージング期間を前記各ダミーステージから前記イネーブル信号が出力される複数の期間に分割して、その分割された期間の境界地点毎に前記複数のスキャンラインの各々に印加されたエージング電圧を反転させることを特徴とする請求項４５に記載のエレクトロルミネセンス表示パネルの駆動装置。
【請求項４９】
前記レベルシフタ部は、前記分割された期間内において、前記複数のスキャンラインの各々に印加されたエージング電圧を少なくとももう一回反転させることを特徴とする請求項４０に記載のエレクトロルミネセンス表示パネルの駆動装置。
【請求項５０】
スキャン期間ではデータラインにデータ信号を印加し、エージング期間では前記データラインをフローティングさせるデータドライバと、
前記スキャン期間ではスキャンラインにスキャンパルスを印加し、前記エージング期間では隣接したスキャンライン間に多段階の電圧差を有するようにするスキャンドライバと、
前記スキャンラインと前記データラインとの交差部毎に形成されたエレクトロルミネセンスセルを備え、前記スキャン期間では前記エレクトロルミネセンスセルが前記データ信号に従って発光し、前記エージング期間では前記エレクトロルミネセンスセルがセルフ−エージングされるエレクトロルミネセンス表示パネルと、を備えることを特徴とするエレクトロルミネセンス表示パネルの駆動装置。
【請求項５１】
前記スキャンドライバは、前記エージング期間において、前記隣接したスキャンラインに互いに相反される順で可変する多段階のエージング電圧を印加することを特徴とする請求項５０に記載のエレクトロルミネセンス表示パネルの駆動装置。
【請求項５２】
前記スキャンドライバは、前記エージング期間内に前記隣接したスキャンラインに同一のエージング電圧を印加する中和ステップが更に含まれることを特徴とする請求項５０に記載のエレクトロルミネセンス表示パネルの駆動装置。
【請求項５３】
前記スキャンドライバは、前記エージング期間において、前記スキャンラインには奇数スキャンラインと偶数スキャンラインとの間の電圧差が順番に増加または減少する多段階のエージング電圧を印加することを特徴とする請求項５０に記載のエレクトロルミネセンス表示パネルの駆動装置。
【請求項５４】
前記スキャンドライバは、前記エージング期間において、前記スキャンラインには奇数スキャンラインと偶数スキャンラインとの間の電圧差が順番に増加して減少するか、または、減少して増加する多段階のエージング電圧を印加することを特徴とする請求項５０に記載のエレクトロルミネセンス表示パネルの駆動装置。
【請求項５５】
前記スキャンドライバは、前記エージング期間において、奇数スキャンラインに多段階に可変するエージング電圧を印加し、偶数スキャンラインに前記奇数スキャンラインと相反される順序で可変するエージング電圧を印加することを特徴とする請求項５０に記載のエレクトロルミネセンス表示パネルの駆動装置。
【請求項５６】
前記スキャンドライバは、前記エージング期間において、奇数スキャンライン及び偶数スキャンラインのうちいずれか一つのスキャンラインに順番に増加する多段階のエージング電圧を印加し、残りのスキャンラインに順番に減少する多段階のエージング電圧を印加することを特徴とする請求項５０に記載のエレクトロルミネセンス表示パネルの駆動装置。
【請求項５７】
前記スキャンドライバは、前記エージング期間において、奇数スキャンライン及び偶数スキャンラインのうちいずれか一つのスキャンラインに順番に増加して減少する多段階のエージング電圧を印加し、残りのスキャンラインに順番に減少して増加する多段階のエージング電圧を印加することを特徴とする請求項５０に記載のエレクトロルミネセンス表示パネルの駆動装置。
【請求項５８】
前記スキャンドライバは、前記エージング期間において、奇数スキャンライン及び偶数スキャンラインのうちいずれか一つのスキャンラインに順番に増加または減少する多段階のエージング電圧を印加し、残りのスキャンラインには一定の電圧を印加することを特徴とする請求項５０に記載のエレクトロルミネセンス表示パネルの駆動装置。
【請求項５９】
前記スキャンドライバは、前記エージング期間において、奇数スキャンライン及び偶数スキャンラインのうち、いずれか一つのスキャンラインに順番に増加して減少するか、または、順番に減少して増加する多段階のエージング電圧を印加して、残りのスキャンラインには一定の電圧を印加することを特徴とする請求項５０に記載のエレクトロルミネセンス表示パネルの駆動装置。
【請求項６０】
前記スキャンドライバは、前記スキャン期間及びエージング期間をフレーム毎に繰り返すことを特徴とする請求項５０に記載のエレクトロルミネセンス表示パネルの駆動装置。
【請求項６１】
前記スキャンドライバは、スタートパルスをシフトさせて各々の出力信号と次の段のスタートパルスを供給する複数のステージと、
前記エージング期間を確保するために、前記ステージのうち、最後のステージの出力信号をシフトさせる複数のダミーステージを有するシフトレジスタと、
前記シフトレジスタの出力信号の各々をレベルシフトして、前記スキャン期間で前記スキャンパルスを前記スキャンラインに供給し、前記エージング期間で前記隣接したスキャンラインに前記多段階の電圧差を有するように多段階のエージング電圧を供給する複数のレベルシフタを有するレベルシフタ部と、を備えることを特徴とする請求項５０に記載のエレクトロルミネセンス表示パネルの駆動装置。
【請求項６２】
前記スキャンドライバは、
スタートパルスをシフトさせて各々の出力信号と次の段のスタートパルスを供給する複数のステージを有するシフトレジスタと、
前記シフトレジスタの出力信号の各々をレベルシフティングして、前記スキャン期間で前記スキャンパルスを前記スキャンラインに供給し、前記エージング期間で前記隣接したスキャンラインに前記多段階の電圧差を有するように多段階のエージング電圧を供給する複数のレベルシフタを有するレベルシフタ部と、を備えることを特徴とする請求項５０に記載のエレクトロルミネセンス表示パネルの駆動装置。
【請求項６３】
スキャンライン及びデータラインの交差部に形成された有機発光セルを有する有機発光表示パネルと、
スキャン期間の間、前記スキャンラインにスキャンパルスを供給し、前記スキャン期間の直後のエージング期間の間、前記スキャンラインをフローティングするスキャンドライバーと、
前記スキャン期間の間、前記データラインにデータ信号を印加するデータドライバと、
前記エージング期間の間、隣接したデータラインに互いに異なるエージング電圧を印加して、前記有機発光表示パネルをセルフエージングさせるエージング電圧供給部と、を備えることを特徴とするエレクトロルミネセンス表示パネルの駆動装置。
【請求項６４】
前記データラインに接続され、かつ前記データドライバ及びエージング電圧供給部の間に接続されて、前記データラインに供給されるデータ信号及びエージング電圧を切り換える切換器をさらに備えることを特徴とする請求項６３に記載のエレクトロルミネセンス表示パネルの駆動装置。
【請求項６５】
前記エージング電圧は、i番目のサブ画素に供給される第１電圧と、前記i番目のサブ画素に隣接したサブ画素に供給され、前記第１電圧と異なる第２電圧と、前記データラインをフローティングさせることによって形成される第３電圧のうちのいずれか一つであることを特徴とする請求項６３に記載のエレクトロルミネセンス表示パネルの駆動装置。
【請求項６６】
前記エージング電圧は、各サブ画素で形成された画素単位で繰り返して印加されることを特徴とする請求項６３に記載のエレクトロルミネセンス表示パネルの駆動装置。
【発明の詳細な説明】
【技術分野】
【０００１】
本発明は、エレクトロルミネセンス表示装置に関し、特に、駆動中にエージング動作ができるようにするエレクトロルミネセンス表示パネルの駆動方法及び装置に関する。
【背景技術】
【０００２】
最近、陰極線管（ＣＲＴ）の短所である重さと体積を縮めることができる各種平板表示装置らが台頭している。このような平板表示装置としては、液晶表示装置（ＬＣＤ）、電界放出表示装置（ＦＥＤ）、プラズマ表示パネル（ＰＤＰ） 及びエレクトロルミネセンス（ＥＬ：以下、ＥＬという。）表示パネルなどがある。
【０００３】
これらの中で、ＥＬ表示パネルは、電子と正孔との再結合により蛍光体を発光させる自発光素子であって、その蛍光体により無機化合物を使用する無機ＥＬと、有機化合物を使用する有機ＥＬとに大別される。このようなＥＬ表示パネルは、低電圧駆動、自己発光、薄膜型、広視野角、速い応答速度、高コントラストなどの多くの長所を有していて、次世代表示装置として期待されている。
【０００４】
有機ＥＬ素子は、基板上に透明導電性物質で形成された陽極と、その上に有機物質で積層された正孔注入層、正孔輸送層、発光層、電子輸送層、電子注入層と、ワーク関数の低い金属で形成された陰極とで構成される。陽極と陰極との間に順方向電圧が印加されると、陰極から発生した電子が電子注入層及び電子輸送層を通じて発光層側に移動し、陽極から発生した正孔が正孔注入層及び正孔輸送層を通じて発光層側に移動する。これによって、発光層では、電子輸送層と正孔輸送層から供給された電子と正孔との再結合により、光を放出する。この際、有機ＥＬ素子の輝度は、陽極と陰極との間に流れる電流に比例するようになる。
【０００５】
図１は、有機ＥＬ素子がマトリックス形態で配列されたパッシブマトリックス型(Passive Matrix Type)ＥＬ表示装置を等価的に表すものであり、図２は図１に示したＥＬパネル２０の駆動波形図である。
【０００６】
図１に示したＥＬ表示装置はスキャンライン（ＳＬ１〜ＳＬｎ）とデータライン（ＤＬ１〜ＤＬｍ）の交差部毎に形成されたＥＬセル２６を備えるＥＬパネル２０と、スキャンライン（ＳＬ１〜ＳＬｎ）を駆動するスキャンドライバ２２と、データライン（ＤＬ１〜ＤＬｍ）を駆動するデータドライバ２４とを備える。
【０００７】
ＥＬパネル２０に形成されたＥＬセル２６の各々は、等価的に陽極であるデータライン（ＤＬ）と陰極であるスキャンライン（ＳＬ）との間に順方向に接続したダイオードで表現される。このようなＥＬセル２６の各々は、スキャンライン（ＳＬ）に負極性のスキャンパルス、即ち、図２のように、スキャンロー電圧（Ｖlow）が供給され、データライン（ＤＬ）に正極性のデータ信号（電流）が供給されて、順方向電圧が印加されると、発光してデータ信号に相応する光を発生する。一方、ＥＬセル２６の各々は、スキャンライン（ＳＬ）にスキャンハイ電圧（Ｖhigh）が供給されて逆方向電圧が印加されると、発光しなくなる。
【０００８】
スキャンドライバ２２は、図２のように、ｎ個のスキャンライン（ＳＬ１〜ＳＬｎ）に順番にスキャンパルスを供給する。言い換えると、スキャンドライバ２２は、スキャンライン（ＳＬ１〜ＳＬｎ）に順番にスキャンロー電圧（Ｖlow）を供給し、そのスキャンライン（ＳＬ１〜ＳＬｎ）を順番にイネーブルさせて、残りの期間にはスキャンハイ電圧（Ｖhigh）を供給してディスエーブルさせる。また、スキャンドライバ２２は、このようなスキャンライン（ＳＬ１〜ＳＬｎ）の順番駆動をフレーム（Ｆ）毎に繰り返す。
【０００９】
データドライバ２４は、スキャンライン（ＳＬ１〜ＳＬｎ）がイネーブルされる期間毎にｍ個のデータライン（ＤＬ１〜ＤＬｍ）にデータ信号を供給する。
【００１０】
このような従来の有機ＥＬ表示装置は、安定した駆動のために製造工程中にＥＬセル２６が逆バイアス状態になるエージング工程を経る。しかし、製造工程中にエージング工程を経たとしても、有機ＥＬ表示装置は、駆動時間が経過するほどＥＬセル２６が劣化して寿命が短縮されるか、またはストレスによりショート不良のようなライン欠陥などが発生する問題点がある。これを解決するためには、有機ＥＬ表示装置の駆動中にもエージング動作が必要となる。
【発明の開示】
【発明が解決しようとする課題】
【００１１】
従って、本発明の目的は、駆動中にもエージング動作を行える有機ＥＬ表示パネルの駆動方法及び装置を提供することである。
【課題を解決するための手段】
【００１２】
上記目的を達成するために、本発明に係るエレクトロルミネセンス表示パネルの駆動方法は、複数のスキャンラインと複数のデータラインとの交差部毎に形成されたエレクトロルミネセンスセルをライン順に発光させるスキャン期間と、逆バイアス印加により前記エレクトロルミネセンスセルを同時にエージングするエージング期間とを含み、前記スキャン期間及びエージング期間がフレーム毎に繰り返されるようにする。
【００１３】
前記エージング期間において、前記複数のスキャンラインにはスキャンハイ電圧が、前記複数のデータラインにはロー電圧が供給される。
前記スキャン期間において、イネーブルさせるためのスキャンラインにスキャンロー電圧が供給され、ディスエーブルさせるためのスキャンラインに第１スキャンハイ電圧が供給され、前記エージング期間において、前記複数のスキャンラインに前記第１スキャンハイ電圧より大きい第２スキャンハイ電圧が供給される。
【００１４】
本発明に係るエレクトロルミネセンス表示パネルの駆動方法は、複数のスキャンラインと複数のデータラインとの交差部毎に形成されたエレクトロルミネセンスセルを発光させるスキャン期間と、前記複数のデータラインをフローティングさせながら隣接したスキャンライン間に電圧差を有するようにして前記エレクトロルミネセンスセルがセルフ−エージングされるエージング期間とを含む。
【００１５】
前記エージング期間において、前記隣接したスキャンラインに相反するエージング電圧が印加される。
前記エージング期間において、奇数(odd)スキャンラインにハイ及びローのエージング電圧のうちいずれか一つのエージング電圧が、偶数(even)スキャンラインには前記奇数スキャンラインと相反するエージング電圧が印加される。
【００１６】
前記エージング期間において、前記複数のスキャンラインの各々に印加されたエージング電圧が少なくとも一回反転される。
前記エージング期間は複数の期間に分割されて、その分割された期間の境界地点毎に前記複数のスキャンラインの各々に印加されたエージング電圧が反転される。
前記分割された期間内において、前記複数のスキャンラインの各々に印加されたエージング電圧が少なくとももう一回反転するようにする。
【００１７】
前記スキャン期間において、イネーブルさせるためのスキャンラインにスキャンロー電圧が供給され、ディスイネーブルさせるためのスキャンラインに第１スキャンハイ電圧が供給され、また、前記エージング期間において、前記第１スキャンハイ電圧より大きいかまたは同一の第２スキャンハイ電圧が、前記ハイエージング電圧として供給され、前記スキャンロー電圧が前記ローエージング電圧として供給される。
前記スキャン期間及びエージング期間がフレーム毎に繰り返される。
【００１８】
本発明のエレクトロルミネセンス表示パネルの駆動方法は、複数のスキャンラインと複数のデータラインとの交差部毎に形成されたエレクトロルミネセンスセルを発光させるスキャン期間と、前記複数のデータラインをフローティングさせながら隣接したスキャンライン間に多段階の電圧差を有するようにして前記エレクトロルミネセンスセルがセルフ−エージングされるエージング期間とを含む。
【００１９】
前記エージング期間において、前記隣接したスキャンラインに互いに相反される順で可変する多段階のエージング電圧が印加される。
前記エージング期間は、前記隣接したスキャンラインに同一のエージング電圧を印加する中和ステップを更に含む。
【００２０】
前記エージング期間において、前記スキャンラインに奇数スキャンラインと偶数スキャンラインとの間の電圧差が順番に増加または減少する多段階のエージング電圧が印加される。
前記エージング期間において、前記スキャンラインに奇数スキャンラインと偶数スキャンラインとの間の電圧差が順番に増加して減少するか、または減少して増加する多段階のエージング電圧が印加される。
【００２１】
前記エージング期間において、奇数スキャンラインに多段階に可変されるエージング電圧が、偶数スキャンラインに前記奇数スキャンラインと相反される順で可変するエージング電圧が印加される。
【００２２】
前記エージング期間において、奇数スキャンライン及び偶数スキャンラインのうちいずれか一つのスキャンラインに順番に増加する多段階のエージング電圧が、残りのスキャンラインに順番に減少する多段階のエージング電圧が印加される。
前記エージング期間において、奇数スキャンライン及び偶数スキャンラインのうちいずれか一つのスキャンラインに順番に増加して減少する多段階のエージング電圧が、残りのスキャンラインに順番に減少して増加する多段階のエージング電圧が印加される。
【００２３】
前記エージング期間において、奇数スキャンライン及び偶数スキャンラインのうちいずれか一つのスキャンラインに順番に増加または減少する多段階のエージング電圧が印加されて、残りのスキャンラインに一定の電圧が印加される。
【００２４】
前記エージング期間において、奇数スキャンライン及び偶数スキャンラインのうちいずれか一つのスキャンラインに順番に増加して減少するか、または、順番に減少して増加する多段階のエージング電圧が印加されて、残りのスキャンラインに一定の電圧が印加される。
【００２５】
前記エージング期間に印加される一定の電圧は、前記多段階のエージング電圧のうち、最低のエージング電圧と同一の電圧である。
前記エージング期間に印加される一定の電圧は、前記スキャン期間において、前記スキャンラインにイネーブル電圧で供給されるスキャンロー電圧と同一の電圧である。
【００２６】
前記エージング期間は、前記奇数及び偶数スキャンラインに同一のエージング電圧が印加される中和ステップを更に含む。
前記中和ステップにおいて、前記奇数及び偶数スキャンラインは、前記多段階のエージング電圧のうち、中間電圧に同一になる。
【００２７】
前記多段階のエージング電圧は、前記スキャン期間において、前記スキャンラインにディスエーブル電圧として供給されたスキャンハイ電圧より大きいか、または、同一の最高エージング電圧と、イネーブル電圧として供給されたスキャンロー電圧のような最低のエージング電圧との間の電圧が、多段階に分圧された電圧である。
【００２８】
前記エージング期間内において、多段階のエージング電圧が繰り返される。
前記スキャン期間及びエージング期間がフレーム毎に繰り返される。
【００２９】
本発明によるエレクトロルミネセンス表示パネルの駆動方法は、複数のスキャンラインと複数のデータラインとの交差部毎に形成された有機発行セルをスキャン期間に発光させる段階と、前記スキャン期間の直後のエージング期間に前記複数のスキャンラインをフローティングさせながら、隣接したデータライン間に電圧差を有するようにして、前記有機発光セルをセルフエージングする段階とを含む。
【００３０】
前記エージング期間において、前記データラインに接続されたi番目のサブ画素に、第１〜第３電圧のうちいずれか一つを供給し、また、前記 i番目のサブ画素に隣接するサブ画素に前記i番目に供給された電圧と異なる電圧が供給される。
【００３１】
前記各サブ画素に供給される電圧は、前記各サブ画素で形成された画素単位で繰り返して印加される。
前記エージング期間で前記データラインと接続された各サブ画素の各々には、互いに異なる第１〜第３電圧が印加される。
【００３２】
前記第１〜第３電圧は各サブ画素で形成された画素単位で繰り返して印加される。
前記第２電圧は前記第１電圧と電圧レベルが相異なり、第３電圧は前記データラインをフローティングさせることによって形成される電圧である。
【００３３】
本発明に係るエレクトロルミネセンス表示パネルの駆動装置は、スキャンラインとデータラインとの交差部毎にエレクトロルミネセンスセルが形成されたエレクトロルミネセンス表示パネルと、各フレームがスキャン期間及びエージング期間を含むように、前記スキャン期間では、前記スキャンラインにライン順にスキャンパルスを供給し、前記エージング期間では、前記スキャンラインの全体にエージングハイ電圧を供給するスキャンドライバと、前記スキャン期間では、前記データラインにデータ信号を、前記エージング期間では、前記エレクトロルミネセンスセルの全体が逆バイアス状態になるようにエージングロー電圧を供給するデータ駆動部とを備える。
【００３４】
前記スキャンドライバは、前記スキャン期間において、前記スキャンパルスには、スキャンロー電圧を、前記スキャン期間において、ディスイネーブルされたスキャンラインには第１スキャンハイ電圧を、前記エージングハイ電圧には、前記第１スキャンハイ電圧より大きい第２スキャンハイ電圧を供給する。
【００３５】
前記スキャンドライバは、スタートパルスをシフトさせて各々の出力信号と次の段のスタートパルスで供給する複数のステージと、前記エージング期間を確保するために、前記ステージの中、最後のステージの出力信号をシフトさせる複数のダミーステージとを有するシフトレジスタと、前記シフトレジスタの出力信号の各々をレベルシフティングして前記スキャンラインの各々に供給する複数のレベルシフタを有するレベルシフタ部とを備える。
【００３６】
前記スキャンドライバは、スタートパルスをシフトさせて各々の出力信号と次の段のスタートパルスで供給する複数のステージを有するシフトレジスタと、前記シフトレジスタの出力信号の各々をレベルシフトし、前記スキャンラインの各々に供給する複数のレベルシフタを有するレベルシフタ部とを備える。
【００３７】
前記スキャン期間の次に前記エージング期間が含まれるように、次のフレームのスタートパルスが遅延され供給される。
【００３８】
前記複数のステージの各々は、前記シフトされたスタートパルスに相当する第１電圧の出力信号を、その他には第２電圧の出力信号を供給する。
【００３９】
前記複数のレベルシフタの各々は、前記第１電圧の出力信号が入力されると、前記スキャンロー電圧を選択し、前記第２電圧の出力信号が入力されると、前記スキャン期間では、前記第１スキャンハイ電圧を、前記エージング期間では、前記第２スキャンハイ電圧を選択し、該スキャンラインに供給する。
【００４０】
前記複数のレベルシフタの各々には、前記スキャンロー電圧と第１及び第２スキャンハイ電圧が各々供給される。
前記レベルシフタの各々には、前記スキャンロー電圧と第２スキャンハイ電圧とが各々供給され、前記レベルシフタの各々は、前記エージング期間では供給された第２スキャンハイ電圧を、前記スキャン期間ではその第２スキャンハイ電圧を、前記第１スキャンハイ電圧に電圧降下させて利用する。
【００４１】
本発明に係るエレクトロルミネセンス表示パネルの駆動装置は、スキャン期間では、データラインにデータ信号を、エージング期間では、前記データラインをフローティングさせるデータドライバと、前記スキャン期間では、スキャンラインにスキャンパルスを、前記エージング期間では、隣接したスキャンラインが電圧差を有するスキャンドライバと、前記スキャンラインと前記データラインとの交差部毎に形成されたエレクトロルミネセンスセルを備え、そのエレクトロルミネセンスセルが、前記スキャン期間では、前記データ信号による発光を、前記エージング期間では、セルフ−エージングされるエレクトロルミネセンス表示パネルとを備える。
【００４２】
前記スキャンドライバは、前記エージング期間において、前記隣接したスキャンラインに相反するエージング電圧を印加する。
前記スキャンドライバは、前記エージング期間において、奇数スキャンラインにハイ及びローエージング電圧のうちいずれか一つのエージング電圧を、偶数スキャンラインには前記奇数スキャンラインと相反するエージング電圧を印加する。
【００４３】
前記スキャンドライバは、前記エージング期間において、前記複数のスキャンラインの各々に印加されたエージング電圧を少なくとも一回反転させる。
前記スキャンドライバは、前記エージング期間を複数の期間に分割し、その分割された期間の境界地点毎に、前記複数のスキャンラインの各々に印加されたエージング電圧を反転させる。
【００４４】
前記スキャンドライバは、前記分割された期間内において、前記複数のスキャンラインの各々に印加されたエージング電圧を少なくとももう一回反転させる。
【００４５】
前記スキャンドライバは、前記スキャン期間において、イネーブルさせるためのスキャンラインには、スキャンロー電圧を、ディスエーブルさせるためのスキャンラインには、第１スキャンハイ電圧を供給し、前記エージング期間において、前記ハイエージング電圧には、前記第１スキャンハイ電圧より大きいか、または、同じな第２スキャンハイ電圧を、前記ローエージング電圧には、前記スキャンロー電圧を供給する。
【００４６】
前記スキャンドライバは、前記スキャン期間及びエージング期間をフレーム毎に繰り返す。前記スキャンドライバは、スタートパルスをシフトさせて各々の出力信号と次の段のスタートパルスで供給する複数のステージと、前記エージング期間を確保するために前記ステージの中、最後のステージの出力信号をシフトさせる複数のダミーステージを有するシフトレジスタと、前記シフトレジスタの出力信号の各々をレベルシフトし、前記スキャン期間では、前記スキャンパルスを前記スキャンラインに供給して、前記エージング期間では、前記隣接したスキャンラインに相反するエージング電圧を供給する複数のレベルシフタを有するレベルシフタ部と、を備える。
【００４７】
前記スキャンドライバは、スタートパルスをシフトさせて各々の出力信号と次の段のスタートパルスで供給する複数のステージを有するシフトレジスタと、前記シフトレジスタの出力信号の各々をレベルシフトして、前記スキャン期間では、前記スキャンパルスを前記スキャンラインに供給して、前記エージング期間では、前記隣接したスキャンラインに相反するエージング電圧を供給する複数のレベルシフタを有するレベルシフタ部と、を備える。
【００４８】
前記スキャン期間の次に前記エージング期間が含まれるように、次のフレームのスタートパルスが遅延され供給される。
【００４９】
前記複数のステージの各々は、前記シフトされたスタートパルスに該当するイネーブル信号を供給して、前記レベルシフタタ部は、前記エージング期間を前記各ダミーステージから前記イネーブル信号が出力される複数の期間に分割して、その分割された期間の境界地点毎に前記複数のスキャンラインの各々に印加されたエージング電圧を反転させる。
前記レベルシフタタ部は、前記分割された期間内において、前記複数のスキャンラインの各々に印加されたエージング電圧を少なくとももう一回反転させる。
【００５０】
本発明に係るエレクトロルミネセンス表示パネルの駆動装置は、スキャン期間では、データラインにデータ信号を、エージング期間では、前記データラインをフローティングさせるデータドライバと、前記スキャン期間では、スキャンラインにスキャンパルスを、前記エージング期間では、隣接したスキャンライン間に多段階の電圧差を有するスキャンドライバと、前記スキャンラインと前記データラインとの交差部毎に形成されたエレクトロルミネセンスセルを備え、そのエレクトロルミネセンスセルが、前記スキャン期間では、前記データ信号による発光を、前記エージング期間では、セルフ−エージングされるエレクトロルミネセンス表示パネルとを備える。
【００５１】
前記スキャンドライバは、前記エージング期間において、前記隣接したスキャンラインに互いに相反する順序で可変する多段階のエージング電圧を印加する。
前記スキャンドライバは、前記エージング期間内に前記隣接したスキャンラインに同一なエージング電圧を印加する中和ステップが更に含まれる。
【００５２】
前記スキャンドライバは、前記エージング期間において、前記スキャンラインには、奇数スキャンラインと偶数スキャンラインとの間の電圧差が順番に増加するか、または、減少するようにする多段階のエージング電圧を印加する。
【００５３】
前記スキャンドライバは、前記エージング期間において、前記スキャンラインには、奇数スキャンラインと偶数スキャンラインとの間の電圧差が順番に増加して減少するか、または、減少して増加するようにする多段階のエージング電圧を印加する。
【００５４】
前記スキャンドライバは、前記エージング期間において、奇数スキャンラインに多段階に可変するエージング電圧を、偶数スキャンラインに前記奇数スキャンラインと相反する順序で可変するエージング電圧を印加する。
【００５５】
前記スキャンドライバは、前記エージング期間において、奇数スキャンライン及び偶数スキャンラインのうちいずれか一つのスキャンラインに順番に増加する多段階のエージング電圧を、残りのスキャンラインに順番に減少する多段階のエージング電圧を印加する。
【００５６】
前記スキャンドライバは、前記エージング期間において、奇数スキャンライン及び偶数スキャンラインのうちいずれか一つのスキャンラインに順番に増加して減少する多段階のエージング電圧を、残りのスキャンラインに順番に減少して増加する多段階のエージング電圧を印加する。
【００５７】
前記スキャンドライバは、前記エージング期間において、奇数スキャンライン及び偶数スキャンラインのうちいずれか一つのスキャンラインに順番に増加するか、または、減少する多段階のエージング電圧を印加し、残りのスキャンラインには一定の電圧を印加する。
【００５８】
前記スキャンドライバは、前記エージング期間において、奇数スキャンライン及び偶数スキャンラインのうちいずれか一つのスキャンラインに順番に増加して減少するか、または、順番に減少して増加する多段階のエージング電圧を印加し、残りのスキャンラインには一定の電圧を印加する。
【００５９】
前記エージング期間に印加される一定の電圧は、前記多段階のエージング電圧のうちで、最低のエージング電圧と同一な電圧である。
前記エージング期間に印加される一定の電圧は、前記スキャン期間において、前記スキャンラインにイネーブル電圧で供給されるスキャンロー電圧と同一な電圧である。
【００６０】
前記スキャンドライバは、前記エージング期間内に前記奇数及び偶数スキャンラインに同一なエージング電圧が印加される中和ステップが更に含まれる。
前記スキャンドライバは、前記中和ステップにおいて、前記奇数及び偶数スキャンラインに前記多段階のエージング電圧のうち、同一な中間電圧を印加する。
【００６１】
前記スキャンドライバは、前記スキャン期間において、前記スキャンラインにディスイネーブル電圧で供給するスキャンハイ電圧より大きいか、または、同一の最高のエージング電圧と、イネーブル電圧で供給するスキャンロー電圧のような最低のエージング電圧との間の電圧が多段階に分圧し、前記多段階のエージング電圧で供給する。
前記スキャンドライバは、前記エージング期間内において、前記多段階のエージング電圧を繰り返して供給する。
【００６２】
前記スキャンドライバは、前記スキャン期間及びエージング期間をフレーム毎に繰り返す。前記スキャンドライバは、スタートパルスをシフトさせて各々の出力信号と次の段のスタートパルスで供給する複数のステージと、前記エージング期間を確保するために、前記ステージの中、最後のステージの出力信号をシフトさせる複数のダミーステージを有するシフトレジスタと、前記シフトレジスタの出力信号の各々をレベルシフティングして、前記スキャン期間で前記スキャンパルスを前記スキャンラインに供給し、前記エージング期間で前記隣接したスキャンラインに前記多段階の電圧差を有する多段階のエージング電圧を供給する複数のレベルシフタを有するレベルシフタ部と、を備える。
【００６３】
前記スキャンドライバは、スタートパルスをシフトさせて各々の出力信号と次の段のスタートパルスで供給する複数のステージを有するシフトレジスタと、前記シフトレジスタの出力信号の各々をレベルシフティングして、前記スキャン期間で前記スキャンパルスを前記スキャンラインに供給し、前記エージング期間で前記隣接したスキャンラインに前記多段階の電圧差を有するように多段階のエージング電圧を供給する複数のレベルシフタを有するレベルシフタ部とを備える。
【００６４】
前記スキャン期間の次に前記エージング期間が含まれるように次のフレームのスタートパルスが遅延され供給される。
【００６５】
前記複数のステージの各々は、前記シフトされたスタートパルスに該当するイネーブル信号を供給し、前記レベルシフタ部は前記エージング期間を前記各ダミーステージで前記イネーブル信号が出力される期間と同期して前記多段階のエージング電圧を可変させる。
【００６６】
本発明によるエレクトロルミネセンス表示パネルの駆動装置はスキャンライン及びデータラインの交差部に形成された有機発光セルを有する有機発光表示パネルと、スキャン期間の間に前記スキャンラインにスキャンパルスを供給し、前記スキャン期間の直後のエージング期間の間、前記スキャンラインをフローティングさせるスキャンドライバと、前記スキャン期間の間、前記データラインにデータ信号を印加するデータドライバと、前記エージング期間の間、隣接したデータラインに互いに異なるエージング電圧を印加して前記有機発光表示パネルをセルフエージングさせる電圧供給部とを備える。
【００６７】
前記エレクトロルミネセンス表示パネルの駆動装置は、前記データラインに接続されたデータドライバ及びエージング電圧供給部の間に接続され、前記データラインに供給されるデータ信号及びエージング電圧を切り換える切換器を更に備える。
【００６８】
前記エージング電圧はi番目のサブ画素に供給される第１電圧と、前記i番目のサブ画素に隣接したサブ画素に供給され、前記第１電圧と異なる第２電圧と、前記データラインをフローティングさせることによって形成される第３電圧のうち、少なくとも一つである。
前記エージング電圧は、各サブ画素で形成された画素単位で繰り返して印加される。
【発明の効果】
【００６９】
上述のように、本発明に係るＥＬ表示パネルの駆動方法及び装置は、フレーム毎にスキャン期間とは別途にＥＬセルの全体が逆バイアス状態になるエージング期間を確保することにより、駆動中にもＥＬセルをエージングさせることができる。これによって、ＥＬ表示パネルの寿命を延長できるだけでなく、ストレスによるライン欠陥などのような不良を防止できる。
【００７０】
そして、本発明に係るＥＬ表示のパネルの駆動方法及び装置は、フレーム中にスキャン期間とは別途にＥＬセルの全体が隣接したスキャンライン間の電圧差とデータラインのフローティング状態によりセルフ−エージングされる期間を確保することにより、駆動中にもＥＬセルをエージングさせることができる。
【００７１】
また、エージング期間内において、隣接したスキャンラインに相反するように印加されたハイ及びローエージング電圧が少なくとももう一回反転することにより、エージング効率を向上させることができる。これによって、ＥＬ表示パネルの寿命を延長できるだけでなく、ストレスによるライン欠陥などのような不良を防止できる。
【００７２】
併せて、本発明に係るＥＬ表示パネルの駆動方法及び装置は、フレームの中にスキャン期間とは別途にＥＬセルの全体が隣接したスキャンライン間の多段階の電圧差とデータラインのフローティング状態によりセルフ−エージングされる期間を確保するので、駆動中にもＥＬセルをエージングさせることができる。これによって、ＥＬ表示パネルの寿命を延長できるだけでなく、ストレスによるライン欠陥などのような不良を防止できる。
【００７３】
また、エージング期間内に隣接したスキャンラインに同一な電圧を印加する中和ステップを少なくとも一回含めることにより、ＥＬパネル内の寄生キャパシタを減少させることができる。それだけでなく、フレームの中、スキャン期間とは別途にELセルの全体が隣接したデータライン間の電圧差とスキャンラインのフローティング状態によってセルフエージングされる期間とを確保することにより、駆動中にもELセルをエージングさせることが可能になる。従って、EL表示パネルの寿命を延長させることができるだけでなく、ストレスによるラインの欠陥等のような不良を防ぐことができる。
【００７４】
以上、説明した内容を通じて当業者であれば本発明の技術的範囲内で多様な変更及び修正が可能であることが分かる。従って、本発明の技術的範囲は、明細書の詳細な説明に記載された内容に限るのではなく、特許請求範囲により定められなければならない。
【発明を実施するための最良の形態】
【００７５】
以下、図３〜図２５を参照しながら本発明の好ましい実施の形態に対して説明する。
【００７６】
図３は、本発明の実施形態の有機ＥＬ表示パネルの駆動方法によるスキャンライン及びデータラインの駆動波形を示すものである。
【００７７】
本発明の実施形態における有機ＥＬ表示パネルの駆動方法のエージング期間（ＡＰＤ）では、ｎ個のスキャンライン（ＳＬ１〜ＳＬｎ）にハイ電圧、即ち、第２スキャンハイ電圧（Ｖhigh２）が供給されて、ｍ個のデータライン（ＤＬ１〜ＤＬｍ）にロー電圧、即ち、アース電圧（ＧＮＤ）が供給される。この際、エージング効果を高めるために、第２スキャンハイ電圧（Ｖhigh２）として、発光期間（ＬＰＤ）に供給された第１スキャンハイ電圧（Ｖhigh１） より大きい電圧が供給される。例えば、第２スキャンハイ電圧（Ｖhigh２）は、第１スキャンハイ電圧（Ｖhigh１）より略１０〜２０%大きい電圧に設定される。
【００７８】
このように、本発明の実施形態の有機ＥＬ表示装置の駆動方法は、１フレーム（Ｆｉ）でＥＬセルの全体が逆バイアス状態になるエージング期間（ＡＰＤ）を確保することにより、駆動中にもＥＬパネルをエージングできるようになる。従って、ＥＬパネルの寿命を延長できると共に、ストレスによるライン欠陥などのような不良を防止できる。
【００７９】
図４は、本発明の第１実施形態の有機ＥＬ表示パネルの駆動装置を示し、図５はその駆動装置の駆動波形を示すものである。
【００８０】
図４に示した有機ＥＬ表示パネルの駆動装置は、スキャンライン（ＳＬ１〜ＳＬｎ）とデータライン（ＤＬ１〜 ＤＬｍ）の交差部毎に形成されたＥＬセル３６を備えるＥＬパネル３０と、スキャンライン（ＳＬ１〜ＳＬｎ）を駆動するスキャンドライバ３２と、データライン（ＤＬ１〜ＤＬｍ）を駆動するデータドライバ３４とを備える。
【００８１】
スキャンドライバ３２は、１フレーム（Ｆｉ）のスキャン期間（ＳＰＤ）では、図５のように、ｎ個のスキャンライン（ＳＬ１〜ＳＬｎ）に順番にスキャンロー電圧（Ｖlow）を供給し、残りの期間では、第１スキャンハイ電圧（Ｖhigh１）を供給する。そして、スキャンドライバ３２は、１フレーム（Ｆｉ）のエージング期間（ＡＰＤ）で、ｎ個のスキャンライン（ＳＬ１〜ＳＬｎ）の全体に第１スキャンハイ電圧（Ｖhigh１）より大きい第２スキャンハイ電圧（Ｖhigh２）を供給する。
【００８２】
このために、スキャンドライバ３２は、フレーム（Ｆｉ）単位で入力されたスタートパルス（Ｖst）を順番にシフトさせながらｎ個の出力信号（Ｓ１〜Ｓｎ）を出力し、エージング期間（ＡＰＤ）を確保できるシフトレジスタ４０と、シフトレジスタ４０の出力信号（Ｓ１〜Ｓｎ）の各々をレベルシフトしてスキャンライン（ＳＬ１〜ＳＬｎ）の各々に供給するレベルシフタ部４２とを備える。
【００８３】
シフトレジスタ４０は、スタートパルス（Ｖst）をシフトさせながらｎ個の出力信号（Ｓ１〜Ｓｎ）を出力するためのｎ個のステージ（ＳＴ１〜ＳＴｎ）と、ｎ番目のステージ（ＳＴｎ）出力信号（Ｓｎ）をシフトさせながらエージング期間（ＡＰＤ）を確保できるｋ個のダミーステージ（ＤＳＴ１〜ＤＳＴｋ）を備える。
【００８４】
ｎ個のステージ（ＳＴ１〜ＳＴｎ）とｋ個のダミーステージ（ＤＳＴ１〜ＤＳＴｋ）は、スタートパルス（Ｖst）の入力ラインに直接に接続し、クロック信号（ＣＬＫ）の入力ラインに共通して接続される。第１〜第ｎステージ（ＳＴ１〜ＳＴｎ）は、スタートパルス（Ｖst）をクロック信号（ＣＬＫ）によって順番にシフトさせて、図５のように、第１〜第ｎ出力信号（Ｓ１〜Ｓｎ）をレベルシフタ部４２に出力する。この際、ｎ個のステージ（ＳＴ１〜ＳＴｎ）の出力信号（Ｓ１〜Ｓｎ）の各々は、次の段のステージのスタートパルス入力ラインに供給される。ｋ個のダミーステージ（ＤＳＴ１〜ＤＳＴｋ）は、ｎ番目のステージ（ＳＴｎ）の出力信号（ＳＴｎ）をクロック信号（ＣＬＫ）によって順番にシフトさせる。このようなｋ個のダミーステージ（ＤＳＴ１〜ＤＳＴｋ）の各々の出力信号（ＤＳ１〜ＤＳｋ）は、レベルシフタ部４２に出力されなくて、次の段のダミーステージのスタートパルス入力ラインのみに供給される。これによって、各フレーム（Ｆｉ）は、図５のように、第１〜第ｎステージ（ＳＴ１〜ＳＴｎ）がロー電圧の出力信号（Ｓ１〜Ｓｎ）を順番に出力するスキャン期間（ＳＰＤ）とは別途に、ダミーステージ（ＤＳＴ１〜ＤＳＴｋ）がロー電圧の出力信号（ＤＳ１〜ＤＳｋ）を順番に出力するダミー期間を、エージング期間（ＡＰＤ）に確保できるようになる。このようなエージング期間の間（ＡＰＤ）、第１〜第ｎステージ（ＳＴ１〜ＳＴｎ）は、全てハイ電圧の出力信号（Ｓ１〜Ｓｎ）を出力する。
【００８５】
レベルシフタ部４２は、ｎ個のステージ（ＳＴ１〜ＳＴｎ）とｎ個のスキャンライン（ＳＬ１〜ＳＬｎ）との間に各々接続されたｎ個のレベルシフタ（ＬＳ１〜ＬＳｎ）を備える。
レベルシフタ（ＬＳ１〜ＬＳｎ）は、図５のように、スキャン期間（ＳＰＤ）において、シフトレジスタ４０の出力信号（Ｓ１〜Ｓｎ）のロー電圧が入力されると、スキャンロー電圧（Ｖlow）を印加し、ハイ電圧が入力されると第１スキャンハイ電圧（Ｖhigh１）を選択してスキャンライン（ＳＬ１〜ＳＬｎ）の各々に供給する。そして、レベルシフタ（ＬＳ１〜ＬＳｎ）は、図５のように、エージング期間（ＡＰＤ）において、シフトレジスタ４０の出力信号（Ｓ１〜Ｓｎ）のハイ電圧が入力されると、全て第２スキャンハイ電圧（Ｖhigh２）を選択してスキャンライン（ＳＬ１〜ＳＬｎ）の各々に供給する。
【００８６】
このために、図４のように第１及び第２スキャンハイ電圧（Ｖhigh１、Ｖhigh２）は、スキャンロー電圧（Ｖlow）と共に電源部で各々生成して相異なる電源ラインを通じてレベルシフタ部４２に入力される。この場合、レベルシフタ（ＬＳ１〜ＬＳｎ）の各々は、シフトレジスタ４０の出力信号（Ｓ１〜Ｓｎ）によってスキャンロー電圧（Ｖlow）とスキャンハイ電圧（Ｖhigh１、Ｖhigh２）のうちいずれか一つを選択して出力し、スキャン期間（ＳＰＤ）及びエージング期間（ＡＰＤ）によって第１及び第２スキャンハイ電圧（Ｖhigh１、Ｖhigh２）のうちいずれか一つを選択して出力する。
【００８７】
これに反して、電源部では、第２スキャンハイ電圧（Ｖhigh２）とスキャンロー電圧（low）とが各々生成してレベルシフタ部４２に入力される。この場合、レベルシフタ（ＬＳ１〜ＬＳｎ）の各々はエージング期間（ＡＰＤ）の場合、第２スキャンハイ電圧（Ｖhigh２）を選択して出力し、スキャン期間（ＳＰＤ）の場合、第２スキャンハイ電圧（Ｖhigh２）を抵抗などを通じて第１スキャンハイ電圧（Ｖhigh１）に電圧降下させた後、第１スキャンハイ電圧（Ｖhigh１）とスキャンロー電圧（Ｖlow）の中のいずれか一つを選択して出力する。
【００８８】
データドライバ３４は、スキャン期間（ＳＰＤ）において、スキャンライン（ＳＬ１〜ＳＬｎ）がイネーブルされる期間毎に、m個のデータライン（ＤＬ１〜ＤＬｍ）にデータ信号を供給し、エージング期間（ＡＰＤ）において、ロー電圧、例えば、アース電圧（ＧＮＤ）を供給する。
【００８９】
ＥＬパネル３０に形成されたＥＬセル３６の各々は、等価的に陽極であるデータライン（ＤＬ）と陰極であるスキャンライン（ＳＬ）との間に順方向に接続したダイオードで表現される。このようなＥＬセル３６の各々はスキャンライン（ＳＬ）にスキャンロー電圧（Ｖlow）が供給され、データライン（ＤＬ）に正極性のデータ信号（電流）が供給されて、順方向電圧が印加されると、発光してデータ信号に相応する光を発生する。一方、ＥＬセル３６の各々は、スキャンライン（ＳＬ）にスキャンハイ電圧（Ｖhigh１、Ｖhigh２）が供給されて逆方向電圧が印加されると発光しなくなる。特に、ＥＬセル３６の各々はエージング期間（ＡＰＤ）において、スキャンライン（ＳＬ１〜ＳＬｎ）の全てに第２スキャンハイ電圧（Ｖhigh２）が、データライン（ＤＬ１〜ＤＬｍ）の全てにロー電圧が供給されると、エージングのための逆バイアス状態となる。これによって、ＥＬパネル３０の寿命を延長できるだけでなく、ライン欠陥などのような不良を防止できるようになる。
【００９０】
図６は、本発明の第２実施形態の有機ＥＬ表示パネルの駆動装置を示し、図７は、その駆動装置の駆動波形を示すものである。
【００９１】
図６に示した有機ＥＬ表示パネルの駆動装置は、図４に示した駆動装置と対比してスキャンドライバ５２のシフトレジスタ６０がダミーステージ（ＤＳＴ）なしにｎ個のステージ（ＳＴ１〜ＳＴｎ）のみを備えること以外は、同一の構成要素を備える。従って、重複される構成要素に対する説明は省略する。
【００９２】
スキャンドライバ５２は、フレーム（Ｆｉ）単位で入力されたスタートパルス（Ｖst）を順番にシフトさせながらｎ個の出力信号（Ｓ１〜Ｓｎ）を出力するシフトレジスタ６０と、シフトレジスタ６０の出力信号（Ｓ１〜Ｓｎ）の各々をレベルシフトしてスキャンライン（ＳＬ１〜ＳＬｎ）の各々に供給するレベルシフタ部６２とを備える。
【００９３】
シフトレジスタ６０に備えられたｎ個のステージ（ＳＴ１〜ＳＴｎ）は、スタートパルス（Ｖst）をクロック信号（ＣＬＫ）によって順番にシフトさせて、図７のように第１〜第ｎ出力信号（Ｓ１〜Ｓｎ）をレベルシフタ部６２に出力し、その出力信号（Ｓ１〜Ｓｎ）の各々は次の段のステージのスタートパルス入力ラインに供給される。これによって、図７のように、第１〜第ｎステージ（ＳＴ１〜ＳＴｎ）がロー電圧の出力信号（Ｓ１〜Ｓｎ）を順番に出力する。このようなスキャン期間（ＳＰＤ）の次にエージング期間（ＡＰＤ）を確保できるように、次のフレーム（Ｆi+１）のスタートパルス（Ｖst）の供給時点が遅延される。このようなエージング期間の間（ＡＰＤ）、第１〜第ｎステージ（ＳＴ１〜ＳＴｎ）は全てハイ電圧の出力信号（Ｓ１〜Ｓｎ）を出力する。
【００９４】
レベルシフタ部６２に備えられたｎ個のレベルシフタ（ＬＳ１〜ＬＳｎ）は、図７のように、スキャン期間（ＳＰＤ）において、シフトレジスタ６０の出力信号（Ｓ１〜Ｓｎ）のロー電圧が入力されると、スキャンロー電圧（Ｖlow）を選択し、ハイ電圧が入力されると第１スキャンハイ電圧（Ｖhigh１）を選択してスキャンライン（ＳＬ１〜ＳＬｎ）の各々に供給する。そして、レベルシフタ（ＬＳ１〜ＬＳｎ）は、図７のように、エージング期間（ＡＰＤ）において、シフトレジスタ６０の出力信号（Ｓ１〜Ｓｎ）のハイ電圧が入力されると、全て第２スキャンハイ電圧（Ｖhigh２）を選択してスキャンライン（ＳＬ１〜ＳＬｎ）の各々に供給する。
【００９５】
これによって、エージング期間（ＡＰＤ）において、スキャンライン（ＳＬ１〜ＳＬｎ）の全てに第２スキャンハイ電圧（Ｖhigh２）が供給され、かつデータライン（ＤＬ１〜ＤＬｍ）の全てにロー電圧が供給される。そして、ＥＬセル３６の全体が逆バイアス状態になることによりエージングされる。これによって、ＥＬパネル３０の寿命を延長できるだけでなく、ライン欠陥などのような不良を防止できるようになる。
【００９６】
図８は、本発明の実施形態の有機ＥＬ表示パネルの駆動方法によるスキャンライン及びデータラインの駆動波形を示すものである。
【００９７】
本発明の実施形態の有機ＥＬ表示パネルの駆動方法は、駆動中にＥＬパネルをエージングするエージング期間（ＡＰＤ）を含む。例えば、図８のように、１フレーム（Ｆｉ）がＥＬセルをライン順に発光させるためのスキャン期間（ＳＰＤ）と、隣接した２つのスキャンラインの電圧差によりＥＬセルがセルフ−エージングされるようにするエージング期間（ＡＰＤ）を含む。このために、フレーム（Ｆｉ）の期間は、スキャン期間（ＳＰＤ）とは別途であるエージング期間（ＡＰＤ）を確保できるように増加する。
【００９８】
１フレーム（Ｆｉ）の中、スキャン期間（ＳＰＤ）では、ｎ個のスキャンライン（ＳＬ１〜ＳＬｎ）に順番に負極性のスキャンパルス、即ち、スキャンロー電圧（Ｖlow）が供給され、残りの期間では、第１スキャンハイ電圧（Ｖhigh１）が供給される。そして、スキャンロー電圧（Ｖlow）が供給される期間毎に、ｍ個のデータライン（ＤＬ１〜ＤＬｍ）に正極性のデータ信号（例えば、電流）が供給される。これによって、スキャンロー電圧（Ｖlow）と正極性のデータ信号により、順方向電圧が印加されたＥＬセルが発光して、データ信号に相応する光を発生するようになる一方、第１スキャンハイ電圧（Ｖhigh１）により逆方向電圧が印加されたＥＬセルは、発光しなくなる。
【００９９】
このようなスキャン期間（ＳＰＤ）の次のエージング期間（ＡＰＤ）では、スキャンライン（ＳＬ１〜ＳＬｎ）の各々が隣接したスキャンラインと電圧差を有することにより、ＥＬセルがセルフ−エージングされる。言い換えると、エージング期間（ＡＰＤ）において、奇数スキャンラインと偶数スキャンラインに相反するエージング電圧を印加して、互いに電圧差を有するようにし、データライン（ＤＬ１〜ＤＬｍ）はフローティング状態になることにより、ＥＬセルの各々は自分の状態によって任意の電圧がかかりながらセルフ−エージングされる。
【０１００】
例えば、図８に示すように、データライン（ＤＬ１〜ＤＬｍ）はフローティングさせながら、奇数スキャンライン（ＳＬ１、ＳＬ３、 ・・・、ＳＬｎ-１）にハイエージング電圧である第２スキャンハイ電圧（Ｖhigh２）を印加し、偶数スキャンライン（ＳＬ２、ＳＬ４、・・・、ＳＬｎ）にローエージング電圧であるスキャンロー電圧（Ｖlow）を印加する。または、奇数スキャンライン（ＳＬ１、ＳＬ３、・・・、ＳＬｎ-１）にスキャンロー電圧（Ｖlow）を、偶数スキャンライン（ＳＬ２、 ＳＬ４、・・・、ＳＬｎ）には第２スキャンハイ電圧（Ｖhigh２）を印加する。これによって、ＥＬセルは隣接したスキャンライン間の電圧差によりセルフ−エージングされる。ここで、ハイエージング電圧である第２スキャンハイ電圧（Ｖhigh２）は、スキャン期間（ＳＰＤ）に印加されていた第１スキャンハイ電圧（Ｖhigh１）より大きいか、または、同一の電圧に設定される。例えば、第２スキャンハイ電圧（Ｖhigh２）は、第１スキャンハイ電圧（Ｖhigh１）より略１０〜２０％大きい電圧に設定される。
【０１０１】
そして、エージング効率を高めるために同一のエージング期間（ＡＰＤ）内でスキャンライン（ＳＬ１〜ＳＬｎ）の各々に供給されたエージング電圧が少なくとも一回は反転するように設定される。
【０１０２】
例えば、図８に示すように、エージング期間（ＡＰＤ）を第１及び第２期間（Ａ１、A２）に分割する。そして、第１期間（Ａ１）において、奇数スキャンライン（ＳＬ１、 ＳＬ３、・・・、ＳＬｎ-１）に第２スキャンハイ電圧（Ｖhigh２）を印加し、偶数スキャンライン（ＳＬ２、ＳＬ４、・・・、ＳＬｎ）にスキャンロー電圧（Ｖlow）を印加した場合、第２期間（A２）では、その電圧を反転させて、奇数スキャンライン（ＳＬ１、ＳＬ３、・・・、ＳＬｎ-１）にスキャンロー 電圧（Ｖlow）を印加し、偶数スキャンライン（ＳＬ２、ＳＬ４、・・・、ＳＬｎ）に第２スキャンハイ電圧（Ｖhigh２）を印加する。
【０１０３】
このように、本発明の実施形態の有機ＥＬ表示装置の駆動方法は、１フレーム（Ｆｉ）でＥＬセルの全体が、セルフ−エージングされるエージング期間（ＡＰＤ）を確保することにより、駆動中にもＥＬパネルをエージングできるようになる。従って、ＥＬパネルの寿命を延長できると共に、ストレスによるライン欠陥などの不良を防止できるようになる。
【０１０４】
図９は、本発明の第３実施形態の有機ＥＬ表示パネルの駆動装置を示し、図１０は、その駆動装置の駆動波形を示すものであり、図１１及び図１２は、エージング期間（ＡＰＤ）でも図９に示したスキャンドライバの他の駆動波形を示すものである。
【０１０５】
図９に示した有機ＥＬ表示パネルの駆動装置は、スキャンライン（ＳＬ１〜ＳＬｎ）とデータライン（ＤＬ１〜 ＤＬｍ）の交差部毎に形成されたＥＬセル１３６を備えるＥＬパネル１３０と、スキャンライン（ＳＬ１〜ＳＬｎ）を駆動するスキャンドライバ１３２と、データライン（ＤＬ１〜ＤＬｍ）を駆動するデータドライバ１３４とを備える。
【０１０６】
ＥＬパネル１３０に形成されたＥＬセル１３６の各々は、等価的に陽極であるデータライン（ＤＬ）と陰極であるスキャンライン（ＳＬ）との間に順方向に接続したダイオードで表現される。このようなＥＬセル１３６の各々は、スキャン期間（ＳＰＤ）において、スキャンライン（ＳＬ）にスキャンロー電圧（Ｖlow）が供給され、データライン（ＤＬ）に正極性のデータ信号（電流）が供給されて、順方向電圧が印加されると発光してデータ信号に相応する光を発生し、第１スキャンハイ電圧（Ｖhigh１）により逆方向電圧が印加されると、発光しなくなる。そして、ＥＬセル１３６の各々は、エージング期間（ＡＰＤ）において、データライン（ＤＬ１〜ＤＬｎ）がフローティングされながら奇数スキャンライン（ＳＬ１、ＳＬ３、・・・、ＳＬｎ-１）と偶数スキャンライン（ＳＬ２、ＳＬ４、・・・、ＳＬｎ）に相反する電圧が印加されると、発光せずにセルフ−エージングされる。
【０１０７】
データドライバ１３４は、スキャン期間（ＳＰＤ）において、スキャンライン（ＳＬ１〜ＳＬｎ）がイネーブルされる期間毎に、ｍ個のデータライン（ＤＬ１〜ＤＬｍ）にデータ信号を供給し、エージング期間（ＡＰＤ）では、データライン（ＤＬ１〜ＤＬｍ）をフローティングさせる。
【０１０８】
スキャンドライバ１３２は、１フレーム（Ｆｉ）のスキャン期間（ＳＰＤ）では、図１０のようにｎ個のスキャンライン（ＳＬ１〜ＳＬｎ）に順番にスキャンロー電圧（Ｖlow）を供給し、残りの期間では、第１スキャンハイ電圧（Ｖhigh１）を供給する。そして、スキャンドライバ（１３２）は、１フレーム（Ｆｉ）のエージング期間（ＡＰＤ）において、奇数スキャンライン（ＳＬ１、ＳＬ３、・・・、ＳＬｎ-１）と偶数スキャンライン（ＳＬ２、ＳＬ４、・・・、ＳＬｎ）に相反するエージング電圧を供給する。
【０１０９】
このために、スキャンドライバ１３２は、フレーム（Ｆi）単位で入力されたスタートパルス（Ｖst）を順番にシフトさせながらｎ個の出力信号（Ｓ１〜Ｓｎ）を出力すると共に、エージング期間（ＡＰＤ）を確保できるようにするシフトレジスタ１４０と、シフトレジスタ１４０の出力信号（Ｓ１〜Ｓｎ）の各々をレベルシフティングしてスキャンライン（ＳＬ１〜ＳＬｎ）の各々に供給するレベルシフタ部１４２とを備える。
【０１１０】
シフトレジスタ１４０は、スタートパルス（Ｖst）をシフトさせながらｎ個の出力信号（Ｓ１〜Ｓｎ）を出力するためのｎ個のステージ（ＳＴ１〜ＳＴｎ）と、ｎ番目のステージ（ＳＴｎ）の出力信号（Ｓｎ）をシフトさせながらエージング期間（ＡＰＤ）を確保できるようにするｋ個のダミーステージ（ＤＳＴ１〜ＤＳＴｋ）を備える。
【０１１１】
ｎ個のステージ（ＳＴ１〜ＳＴｎ）とｋ個のダミーステージ（ＤＳＴ１〜ＤＳＴｋ）は、スタートパルス（Ｖst）の入力ラインに直列に接続され、クロック信号（ＣＬＫ）の入力ラインに共通して接続される。第１〜第ｎステージ（ＳＴ１〜ＳＴｎ）は、スタートパルス（Ｖst）をクロック信号（ＣＬＫ）によって順番にシフトさせて、図１０のように、第１〜第ｎ出力信号（Ｓ１〜Ｓｎ）をレベルシフタ部１４２に出力する。この際、ｎ個のステージ（ＳＴ１〜ＳＴｎ）の出力信号（Ｓ１〜Ｓｎ）の各々は、次の段のステージのスタートパルス入力ラインに供給される。ｋ個のダミーステージ（ＤＳＴ１〜ＤＳＴｋ）は、ｎ番目のステージ（ＳＴｎ）の出力信号（ＳＴｎ）をクロック信号（ＣＬＫ）によって順番にシフトさせる。このようなｋ個のダミーステージ（ＤＳＴ１〜ＤＳＴｋ）の各々の出力信号（ＤＳ１〜ＤＳｋ）は、レベルシフタ部１４２に出力されなくて、次の段のダミーステージのスタートパルス入力ラインのみに供給される。これによって、各フレーム（Ｆｉ）は、図１０のように、第１〜第ｎステージ（ＳＴ１〜ＳＴｎ）がイネーブル電圧であるロー電圧の出力信号（Ｓ１〜Ｓｎ）を順番に出力するスキャン期間（ＳＰＤ）とは別途に、ダミーステージ（ＤＳＴ１〜ＤＳＴｋ）がロー電圧の出力信号（DＳ１〜ＤＳｋ）を順番に出力するダミー期間をエージング期間（ＡＰＤ）で確保するようになる。このようなエージング期間の間（ＡＰＤ）、第１〜第ｎステージ（ＳＴ１〜ＳＴｎ）は、全てハイ電圧の出力信号（Ｓ１〜Ｓｎ）を出力する。
【０１１２】
レベルシフタ部１４２は、ｎ個のステージ（ＳＴ１〜ＳＴｎ）とｎ個のスキャンライン（ＳＬ１〜ＳＬｎ）との間に各々接続したｎ個のレベルシフタ（ＬＳ１〜ＬＳｎ）を備える。レベルシフタ（ＬＳ１〜ＬＳｎ）は、図１０のように、スキャン期間（ＳＰＤ）において、シフトレジスタ１４０の出力信号（Ｓ１〜Ｓｎ）のイネーブル電圧であるロー電圧が入力されると、スキャンロー電圧（Ｖlow）を印加し、ディスイネーブル電圧であるハイ電圧が入力されると、第１スキャンハイ電圧（Ｖhigh１）を選択してスキャンライン（ＳＬ１〜ＳＬｎ）の各々に供給する。そして、レベルシフタ（ＬＳ１〜ＬＳｎ）は、図１０のようにエージング期間（ＡＰＤ）において、シフトレジスタ１４０の出力信号（Ｓ１〜Ｓｎ）のハイ電圧が入力されると、第２スキャンハイ電圧（Ｖhigh２）とスキャンロー電圧（Ｖlow）を利用して奇数スキャンライン（ＳＬ１、ＳＬ３、・・・、ＳＬｎ-１）と偶数スキャンライン（ＳＬ２、ＳＬ４、・・・、ＳＬｎ）に相反する電圧を印加する。また、エージング効率を高めるために、そのエージング期間（ＡＰＤ）内で奇数スキャンライン（ＳＬ１、ＳＬ３、・・・、ＳＬｎ-１）と偶数スキャンライン（ＳＬ２、ＳＬ４、 ・・・、ＳＬｎ）に電圧が少なくとも一回は反転するようにする。
【０１１３】
例えば、図１０のように、エージング期間（ＡＰＤ）の中、第１期間（Ａ１）で奇数スキャンライン（ＳＬ１、ＳＬ３、・・・、ＳＬｎ-１）に第２スキャンハイ電圧（Ｖhigh２）を、偶数スキャンライン（ＳＬ２、ＳＬ４、・・・、ＳＬｎ）にスキャンロー電圧（Ｖlow）を印加した場合、第２期間（A２）では、その電圧を反転させて奇数スキャンライン（ＳＬ１、ＳＬ３、・・・、ＳＬｎ-１）にスキャンロー電圧（Ｖlow）を印加し、偶数スキャンライン（ＳＬ２、ＳＬ４、・・・、ＳＬｎ）に第２スキャンハイ電圧（Ｖhigh２）を印加する。
【０１１４】
これに反して、図１１のように、エージング期間（ＡＰＤ）をシフトレジスタ１４０のダミーステージ（ＤＳＴ１〜ＤＳＴｋ）が順番にイネーブル電圧であるロー電圧を出力する第１〜第ｋ期間（Ａ１〜Aｋ）に分割する。そして、奇数スキャンライン（ＳＬ１、ＳＬ３、・・・、ＳＬｎ-１; ＳＬodd）と偶数スキャンライン（ＳＬ２、ＳＬ４、・・・、ＳＬｎ; ＳＬeven）に印加された相反する電圧（Ｖhigh２、 Ｖlow）が、その第１〜第ｋ期間（Ａ１〜Ａｋ）の境界地点毎に反転する。
【０１１５】
また、図１２のように、奇数スキャンライン（ＳＬ１、ＳＬ３、・・・、ＳＬｎ-１; ＳＬodd）と偶数スキャンライン（ＳＬ２、ＳＬ４、・・・、ＳＬｎ; ＳＬeven）に 印加された相反する電圧（Ｖhigh２、 Ｖlow）が第１〜第ｋ期間（Ａ１〜Ａｋ）の各々のうちでもう一回反転するようにする。言い換えると、奇数スキャンライン（ＳＬodd）と偶数スキャンライン（ＳＬeven）に印加されるエージング電圧の反転周期が、そのエージング期間（ＡＰＤ）の各分割期間（Ａｉ）と同一にする。
【０１１６】
このようなレベルシフタ部１４２には、図９のように、第１及び第２スキャンハイ電圧（Ｖhigh１、Ｖhigh２）がスキャンロー電圧（Ｖlow）と共に、電源部で各々生成して互いに異なる電源ラインを通じて入力できる。これに反して、電源部では、第２スキャンハイ電圧（Ｖhigh２）とスキャンロー電圧（low）のみ各々生成してレベルシフタ部１４２に入力できる。この場合、レベルシフタ部１４２は、エージング期間（ＡＰＤ）の場合、第２スキャンハイ電圧（Ｖhigh２）をそのまま利用して、スキャン期間（ＳＰＤ）の場合、第２スキャンハイ電圧（Ｖhigh２）を抵抗などを通じて第１スキャンハイ電圧（Ｖhigh１）に電圧降下させた後、利用する。
【０１１７】
図１３は、本発明の第４実施形態の有機ＥＬ表示パネルの駆動装置を示し、図１４は、その駆動装置の駆動波形を示すものである。
【０１１８】
図１３に示した有機ＥＬ表示パネルの駆動装置は、図９に示した駆動装置と対比してスキャンドライバ１５２のシフトレジスタ１６０が、ダミーステージ（ＤＳＴ）なしにｎ個のステージ（ＳＴ１〜ＳＴｎ）のみを有することを以外は、同一の構成要素を備える。従って、重複される構成要素に対する説明は省略する。
【０１１９】
スキャンドライバ１５２は、フレーム（Ｆｉ）単位で入力されたスタートパルス（Ｖst）を順番にシフトさせながらｎ個の出力信号（Ｓ１〜Ｓｎ）を出力するシフトレジスタ１６０と、シフトレジスタ１６０の出力信号（Ｓ１〜Ｓｎ）の各々をレベルシフトしてスキャンライン（ＳＬ１〜ＳＬｎ）の各々に供給するレベルシフタ部１６２とを備える。
【０１２０】
シフトレジスタ１６０に備えられたｎ個のステージ（ＳＴ１〜ＳＴｎ）は、スタートパルス（Ｖst）をクロック信号（ＣＬＫ）により順番にシフトさせて、図１４のように、第１〜第ｎ出力信号（Ｓ１〜Ｓｎ）をレベルシフタ部１６２に出力し、その出力信号（Ｓ１〜Ｓｎ）の各々は、次の段のステージのスタートパルス入力ラインに供給される。これによって、図１４のように、第１〜第ｎステージ（ＳＴ１〜ＳＴｎ）がロー電圧の出力信号（Ｓ１〜Ｓｎ）を順番に出力する。このようなスキャン期間（ＳＰＤ）の次にエージング期間（ＡＰＤ）を確保できるように、次のフレーム（Ｆｉ+１）のスタートパルス（Ｖst）供給時点が遅延される。このようなエージング期間の間（ＡＰＤ）、第１〜第ｎステージ（ＳＴ１〜ＳＴｎ）は全てハイ電圧の出力信号（Ｓ１〜Ｓｎ）を出力する。
【０１２１】
レベルシフタ部１６２に備えられたｎ個のレベルシフタ（ＬＳ１〜ＬＳｎ）は、図１４のように、スキャン期間（ＳＰＤ）において、シフトレジスタ１６０出力信号（Ｓ１〜Ｓｎ）のロー電圧が入力されると、スキャンロー電圧（Ｖlow）を供給し、ハイ電圧が入力すると、第１スキャンハイ電圧（Ｖhigh１）を選択し、スキャンライン（ＳＬ１〜ＳＬｎ）の各々に供給する。そして、レベルシフタ（ＬＳ１〜ＬＳｎ）は、図１４のように、エージング期間（ＡＰＤ）において、シフトレジスタ１６０の出力信号（Ｓ１〜Ｓｎ）のハイ電圧が入力すると、第２スキャンハイ電圧（Ｖhigh２）とスキャンロー電圧（Ｖlow）を利用して、奇数スキャンライン（ＳＬ１、ＳＬ３、・・・、ＳＬｎ-１）と偶数スキャンライン（ＳＬ２、ＳＬ４、・・・、ＳＬｎ）に相反する電圧を印加する。また、エージング効率を高めるために、そのエージング期間（ＡＰＤ）内で奇数スキャンライン（ＳＬ１、ＳＬ３、・・・、ＳＬｎ-１）と偶数スキャンライン（ＳＬ２、ＳＬ４、・・・、ＳＬｎ）に電圧が少なくとも一回は反転するようにする。
【０１２２】
例えば、図１４のように、エージング期間（ＡＰＤ）の中、第１期間（Ａ１）において、奇数スキャンライン（ＳＬ１、ＳＬ３、・・・、ＳＬｎ-１）に第２スキャンハイ電圧（Ｖhigh２）を印加し、偶数スキャンライン（ＳＬ２、ＳＬ４、・・・、ＳＬｎ）にスキャンロー電圧（Ｖlow）を印加した場合、第２期間（Ａ２）ではその電圧を反転させて、奇数スキャンライン（ＳＬ１、ＳＬ３、・・・、ＳＬｎ-１）にスキャンロー電圧（Ｖlow）を印加し、偶数スキャンライン（ＳＬ２、ＳＬ４、・・・、ＳＬｎ）に第２スキャンハイ電圧（Ｖhigh２）を印加する。
【０１２３】
これによって、エージング期間（ＡＰＤ）において、データライン（ＤＬ１〜ＤＬｍ）になりながら隣接したスキャンライン間に相反する電圧により電圧差を有することにより、ＥＬセル１３６の全体がセルフ−エージングされる。これによって、ＥＬパネル１３０の寿命を延長できるだけでなく、ライン欠陥などのような不良を防止できるようになる。
図１５は、本発明の実施形態の有機ＥＬ表示装置の駆動方法を説明するためのスキャンライン及びデータラインの駆動波形を示すものである。
【０１２４】
本発明の実施形態の有機ＥＬ表示装置の駆動方法は、駆動中にＥＬパネルをエージングするエージング期間（ＡＰＤ）を含む。例えば、図１５のように、１フレーム（Ｆｉ）がＥＬセルをライン順に発光させるためのスキャン期間（ＳＰＤ）と、隣接した２つのスキャンラインの電圧差によりＥＬセルがセルフ−エージングされるエージング期間（ＡＰＤ）とを含む。このために、フレーム（Ｆｉ）の期間は、スキャン期間（ＳＰＤ）とは別途のエージング期間（ＡＰＤ）を確保できるように増加する。
【０１２５】
１フレーム（Ｆｉ）中、スキャン期間（ＳＰＤ）では、ｎ個のスキャンライン（ＳＬ１〜ＳＬｎ）に順番に陰極性のスキャンパルス、即ち、スキャンロー電圧（Ｖlow）が供給され、残りの期間に第１スキャンハイ電圧（Ｖhigh１）が供給される。そして、スキャンロー電圧（Ｖlow）が供給される期間毎に、ｍ個のデータライン（ＤＬ１〜ＤＬｍ）に正極性のデータ信号（例えば、電流）が供給される。これによって、スキャンロー電圧（Ｖlow）と正極性のデータ信号により、順方向電圧が印加されたＥＬセルが発光してデータ信号に相応する光を発生する一方、第１スキャンハイ電圧（Ｖhigh１）により逆方向電圧が印加されたＥＬセルは、発光しなくなる。
【０１２６】
このようなスキャン期間（ＳＰＤ）の次のエージング期間（ＡＰＤ）では、データライン（ＤＬ１〜ＤＬｍ）を全てフローティングさせながらスキャンライン（ＳＬ１〜ＳＬｎ）の各々が隣接したスキャンラインと電圧差を有することにより、ＥＬセルは、自分の状態によって任意の電圧がかかりながらセルフ−エージングされる。特に、奇数スキャンライン（ＳＬ１、ＳＬ３、・・・、ＳＬｎ-１）と偶数スキャンライン（ＳＬ２、ＳＬ４、・・・、ＳＬｎ）との間に電圧差を有するように多段階に可変するエージング電圧を供給してセルフ−エージング効率を向上させて、その結果、ＥＬセルはより安定化できるようになる。
例えば、図１５に示すように、エージング期間（ＡＰＤ）において、第１〜第５ステップ（Ａ１〜Ａ５）に亘って奇数スキャンライン（ＳＬ１、 ＳＬ３、・・・、ＳＬｎ-１）にはスキャンロー電圧（Ｖlow）、中間電圧（Ｖmiddle）、第２スキャンハイ電圧（Ｖhigh２）、中間電圧（Ｖmiddle）、スキャンロー電圧（Ｖlow）に順番に変化するエージング電圧が供給される。この際、偶数スキャンライン（ＳＬ２、ＳＬ４、・・・、ＳＬｎ）には上記奇数スキャンライン（ＳＬ１、ＳＬ３、・・・、ＳＬｎ-１）と反対に第２スキャンハイ電圧（Ｖhigh２）、中間電圧（Ｖmiddle）、スキャンロー電圧（Ｖlow）、 中間電圧（Ｖmiddle）、第２スキャンハイ電圧（Ｖhigh２）に順番に変化するエージング電圧が供給される。ここで、ハイエージング電圧である第２スキャンハイ電圧（Ｖhigh２）はスキャン期間（ＳＰＤ）に印加されていた第１スキャンハイ電圧（Ｖhigh１）より大きいか、または、同じく設定される。例えば、第２スキャンハイ電圧（Ｖhigh２）は、第１スキャンハイ電圧（Ｖhigh１）より略１０〜２０％大きい電圧に設定される。このようなエージング期間（ＡＰＤ）において、データライン（ＤＬ１〜ＤＬｍ）はフローティングされる。
【０１２７】
これによって、データライン（ＤＬ１〜ＤＬｍ）がフローティングされたＥＬセルは、隣接したスキャンライン、即ち奇数スキャンライン（ＳＬ１、ＳＬ３、・・・、ＳＬｎ-１）と偶数スキャンライン（ＳＬ２、ＳＬ４、・・・、ＳＬｎ）との間の電圧差によりセルフ−エージングされる。また、前記エージング期間（ＡＰＤ）内には、奇数スキャンライン（ＳＬ１、ＳＬ３、・・・、ＳＬｎ-１）と偶数スキャンライン（ＳＬ２、ＳＬ４、・・・、ＳＬｎ）の電圧が中間電圧（Ｖmiddle）に同一になる中和ステップを含む。このような中和ステップによりＥＬパネルの内部に形成された寄生キャパシタを減らすようになる。
【０１２８】
そして、本発明のエージング期間（ＡＰＤ）において、スキャンライン（ＳＬ１〜ＳＬｎ）に供給できる駆動波形は、図１６〜図１８Ｂに示すように多様である。
【０１２９】
図１６を参照すると、エージング期間（ＡＰＤ）において、奇数スキャンライン（ＳＬ１、ＳＬ３、・・・、ＳＬｎ-１; ＳＬodd）に第１〜第２ｉステップ（Ａ１〜Ａ２ｉ）に可変するエージング電圧（ＡＶ１〜ＡＶｉ）が、偶数スキャンライン（ＳＬ２、ＳＬ４、・・・、ＳＬｎ; ＳＬeven）に、奇数スキャンライン（ＳＬodd）と相反する方向に第１〜第２ｉステップ（Ａ１〜Ａ２ｉ）に可変するエージング電圧（ＡＶｉ〜ＡＶ１）が供給される。
【０１３０】
具体的に、奇数スキャンライン（ＳＬodd）には、エージング期間（ＡＰＤ）の第１〜第２ｉステップ（Ａ１〜Ａ２ｉ）に亘ってＡＶ１、ＡＶ２−、・・・ＡＶｉ-１、Ａｉの順に減少していたら、ＡＶｉ-１、・・・ＡＶ２、ＡＶ１の順にまた増加するエージング電圧が供給される。逆に、偶数スキャンライン（ＳＬeven）には、ＡＶｉ、ＡＶｉ-１、・・・ＡＶ２、ＡＶ１の順に増加していたら、ＡＶ２、・・・ＡＶｉ-１、ＡＶｉの順にまた減少するエージング電圧が供給される。これによって、奇数及び偶数スキャンライン（ＳＬodd、ＳＬeven）間の電圧差が第１〜第２ｉステップ（Ａ１〜Ａ２ｉ）別に変わるようになる。言い換えると、図１６のように、第１〜第ｉステップ（Ａ１〜Ａｉ）では、奇数及び偶数のスキャンライン（ＳＬodd、 ＳＬeven）間の電圧差が順番に減少するようになり、第ｉ+１〜第２ｉステップ（Ａｉ+１〜Ａ２ｉ）では、その電圧差が順番に増加されながらＥＬセルが効果的にセルフ−エージングされるようにする。また、図１６と反対に奇数及び偶数スキャンライン（ＳＬodd、ＳＬeven）に多段階のエージング電圧（Ａ１〜Ａｉ）が供給された場合、奇数及び偶数スキャンライン（ＳＬodd、ＳＬeven）間の電圧差は前記と反対に順番に増加していたら減少するようになりながら、ＥＬセルが效果的にセルフ−エージングされるようにする。
【０１３１】
そして、このようなエージング期間（ＡＰＤ）は、多段階のエージング電圧（Ａ１〜Ａｉ）の中、中間エージング電圧で奇数及び偶数スキャンライン（ＳＬodd、ＳＬeven）が同一になる。従ってこのＡＰＤ期間は、ＥＬパネルの内部の寄生キャパシタを減少させる中和ステップを少なくとも一回含む。
【０１３２】
また、多段階のエージング電圧（ＡＶ１〜ＡＶｉ）は、図１７Ａ〜図１８Ｂに示すように、奇数及び偶数のスキャンライン（ＳＬodd、ＳＬeven）の中のいずれか一つのみに供給され、残りのスキャンラインは最低のエージング電圧（ＡＶ１）、即ち、スキャンロー電圧（Ｖlow）に固定されることも可能である。
【０１３３】
具体的に、図１７Ａのように、偶数スキャンライン（ＳＬeven）は、スキャンロー電圧（Ｖlow）に固定され、奇数スキャンライン（ＳＬodd）には、第１〜第２ｉステップ（Ａ１〜Ａ２ｉ）に亘ってＡＶ１、ＡＶ２、・・・ＡＶｉ-１、Ａｉ、ＡＶｉ-１、・・・ＡＶ２、ＡＶ１の順に、または、図１７Ｂのように、ＡＶｉ、ＡＶｉ-１、・・・ＡＶ２、ＡＶ１、ＡＶ２、・・・ＡＶｉ-１、ＡＶｉの順に可変するエージング電圧が供給される。
【０１３４】
逆に、図１８Ａのように、奇数スキャンライン（ＳＬodd）は、スキャンロー電圧（Ｖlow）に固定され、偶数スキャンライン（ＳＬeven）には、第１〜第２ｉステップ（Ａ１〜Ａ２ｉ）に亘ってＡＶ１、ＡＶ２、・・・、ＡＶｉ-１、Ａｉ、ＡＶｉ-１、・・・、ＡＶ２、ＡＶ１の順に、または、図１７Ｂのように、ＡＶｉ、ＡＶｉ-１、・・・、ＡＶ２、ＡＶ１、ＡＶ２、・・・、ＡＶｉ-１、ＡＶｉの順に可変するエージング電圧が供給される。
これによって、奇数及び偶数スキャンライン（ＳＬodd、ＳＬeven）間の電圧差が第１〜第２ｉステップ（Ａ１〜Ａ２ｉ）別に変わるようになる。言い換えると、図１７Ａ及び図１８Ｂのように、第１〜第２ｉステップ（Ａ１〜Ａ２ｉ）では、奇数及び偶数のスキャンライン（ＳＬodd、ＳＬeven）間の電圧差が順番に減少して増加しながらＥＬセルが效果的にセルフ−エージングされる。逆に、図１７Ｂ及び図１８Ａのように、奇数及び偶数のスキャンライン（ＳＬodd、ＳＬeven）間の電圧差は、前記と反対に順番に増加して減少しながら、ＥＬセルが效果的にセルフ−エージングされる。
【０１３５】
そして、このようなエージング期間（ＡＰＤ）は、多段階のエージング電圧（Ａ１〜Ａｉ）の中、最低のエージング電圧（ＡＶｉ）、即ち、スキャンロー電圧（Ｖlow）に奇数及び偶数のスキャンライン（ＳＬodd、ＳＬeven）が同一になる。従ってＡＰＤ期間は、ＥＬパネルの内部の寄生キャパシタを減少させる中和ステップを少なくとも一回含む。
【０１３６】
加えて、本発明のエージング期間（ＡＰＤ）では、前述の第１〜第２ｉステップを繰り返せることも可能である。
【０１３７】
このように、本発明の実施形態の有機ＥＬ表示装置の駆動方法は、１フレーム（Ｆｉ）でＥＬセルの全体が多段階にセルフ−エージングされるエージング期間（ＡＰＤ）を確保することにより、駆動中にもＥＬパネルをエージングできる。従って、ＥＬパネルの寿命を延長できると共に、ストレスによるライン欠陥などのような不良を防止できる。
【０１３８】
図１９は、本発明の第５実施形態の有機ＥＬ表示パネルの駆動装置を示し、図２０は、その駆動装置の駆動波形を示すものである。
【０１３９】
図１９に示した有機ＥＬ表示パネルの駆動装置は、スキャンライン（ＳＬ１〜ＳＬｎ）とデータライン（ＤＬ１〜ＤＬｍ）との交差部毎に形成されたＥＬセル２３６を備えるＥＬパネル２３０と、スキャンライン（ＳＬ１〜ＳＬｎ）を駆動するスキャンドライバ２３２と、データライン（ＤＬ１〜ＤＬｍ）を駆動するデータドライバ２３４とを備える。
【０１４０】
ＥＬパネル２３０に形成されたＥＬセル２３６の各々は、等価的に陽極であるデータライン（ＤＬ）と陰極であるスキャンライン（ＳＬ）との間に順方向に接続したダイオードで表現される。このようなＥＬセル２３６の各々は、スキャン期間（ＳＰＤ）において、スキャンライン（ＳＬ）にスキャンロー電圧（Ｖlow）が供給され、データライン（ＤＬ）に正極性のデータ信号（電流）が供給されて順方向電圧が印加されると、発光してデータ信号に相応する光を発生し、第１スキャンハイ電圧（Ｖhigh１）により逆方向電圧が印加されると、発光しなくなる。そして、ＥＬセル２３６の各々は、エージング期間（ＡＰＤ）において、データライン（ＤＬ１〜ＤＬｎ）がフローティングされながら奇数スキャンライン（ＳＬ１、ＳＬ３、・・・、ＳＬｎ-１）と偶数スキャンライン（ＳＬ２、ＳＬ４、・・・、ＳＬｎ）に多段階に可変する電圧差を有すると発光せずにセルフ−エージングされる。
【０１４１】
データドライバ２２４は、スキャン期間（ＳＰＤ）において、スキャンライン（ＳＬ１〜ＳＬｎ）がイネーブルされる期間毎に、ｍ個のデータライン（ＤＬ１〜ＤＬｍ）にデータ信号を供給し、エージング期間（ＡＰＤ）では、データライン（ＤＬ１〜ＤＬｍ）をフローティングさせる。
【０１４２】
スキャンドライバ２３２は、１フレーム（Ｆｉ）のスキャン期間（ＳＰＤ）では、図２０のように、ｎ個のスキャンライン（ＳＬ１〜ＳＬｎ）に順番にスキャンロー電圧（Ｖlow）を供給し、残りの期間では第１スキャンハイ電圧（Ｖhigh１）を供給する。そして、スキャンドライバ２３２は１フレーム（Ｆｉ）のエージング期間（ＡＰＤ）において、奇数スキャンライン（ＳＬ１、ＳＬ３、・・・、ＳＬｎ-１）と偶数スキャンライン（ＳＬ２、ＳＬ４、・・・、ＳＬｎ）が多段階の電圧差を有するように、多段階に可変されるエージング電圧を供給する。
【０１４３】
このために、スキャンドライバ２３２はフレーム（Ｆｉ）単位で入力されたスタートパルス（Ｖst）を順番にシフトさせながらｎ個の出力信号（Ｓ１〜Ｓｎ）を出力すると共に、エージング期間（ＡＰＤ）を確保できるようにするシフトレジスタ２４０と、シフトレジスタ２４０の出力信号（Ｓ１〜Ｓｎ）の各々をレベルシフトしてスキャンライン（ＳＬ１〜ＳＬｎ）の各々に供給するレベルシフタ部２４２とを備える。
【０１４４】
シフトレジスタ２４０は、スタートパルス（Ｖst）をシフトさせながらｎ個の出力信号（Ｓ１〜Ｓｎ）を出力するためのｎ個のステージ（ＳＴ１〜ＳＴｎ）と、ｎ番目のステージ（ＳＴｎ）の出力信号（Ｓｎ）をシフトさせながらエージング期間（ＡＰＤ）を確保できるようにするｋ個のダミーステージ（ＤＳＴ１〜ＤＳＴｋ）とを備える。
【０１４５】
ｎ個のステージ（ＳＴ１〜ＳＴｎ）とｋ個のダミーステージ（ＤＳＴ１〜ＤＳＴｋ）は、スタートパルス（Ｖst）の入力ラインに直列に接続され、クロック信号（ＣＬＫ）の入力ラインに共通に接続される。第１〜第ｎステージ（ＳＴ１〜ＳＴｎ）は、スタートパルス（Ｖst）をクロック信号（ＣＬＫ）によって順番にシフトさせて、図２０のように、第１〜第ｎ出力信号（Ｓ１〜Ｓｎ）をレベルシフタ部２４２に出力する。この際、ｎ個のステージ（ＳＴ１〜ＳＴｎ）の出力信号（Ｓ１〜Ｓｎ）の各々は、次の段のステージのスタートパルス入力ラインに供給される。ｋ個のダミーステージ（ＤＳＴ１〜ＤＳＴｋ）は、ｎ番目のステージ（ＳＴｎ）の出力信号（ＳＴｎ）をクロック信号（ＣＬＫ）によって順番にシフトさせる。このようなｋ個のダミーステージ（ＤＳＴ１〜ＤＳＴｋ）の各々の出力信号（ＤＳ１〜ＤＳｋ）は、レベルシフタ部２４２に出力されなくて、次の段のダミーステージのスタートパルス入力ラインのみに供給される。これによって、各フレーム（Ｆｉ）は、図２０のように、第１〜第ｎステージ（ＳＴ１〜ＳＴｎ）がイネーブル電圧であるロー電圧の出力信号（Ｓ１〜Ｓｎ）を順番に出力するスキャン期間（ＳＰＤ）とは別途に、ダミーステージ（ＤＳＴ１〜ＤＳＴｋ）がロー電圧の出力信号（DＳ１〜ＤＳｋ）を順番に出力するダミー期間をエージング期間（ＡＰＤ）に確保できるようになる。このようなエージング期間の間（ＡＰＤ）、第１〜第ｎステージ（ＳＴ１〜ＳＴｎ）は、全てハイ電圧の出力信号（Ｓ１〜Ｓｎ）を出力する。
【０１４６】
レベルシフタ部２４２は、ｎ個のステージ（ＳＴ１〜ＳＴｎ）とｎ個のスキャンライン（ＳＬ１〜ＳＬｎ）との間に各々接続したｎ個のレベルシフタ（ＬＳ１〜ＬＳｎ）を備える。レベルシフタ（ＬＳ１〜ＬＳｎ）は、図２０のように、スキャン期間（ＳＰＤ）において、シフトレジスタ２４０の出力信号（Ｓ１〜Ｓｎ）のイネーブル電圧であるロー電圧が入力されると、スキャンロー電圧（Ｖlow）を供給し、ディスエーブル電圧であるハイ電圧が入力されると第１スキャンハイ電圧（Ｖhigh１）を選択して、スキャンライン（ＳＬ１〜ＳＬｎ）の各々に供給する。そして、レベルシフタ（ＬＳ１〜ＬＳｎ）は、図２０のように、エージング期間（ＡＰＤ）において、シフトレジスタ２４０の出力信号（Ｓ１〜Ｓｎ）のハイ電圧が入力されると、奇数スキャンライン（ＳＬ１、ＳＬ３、・・・ ＳＬｎ-１）と偶数スキャンライン（ＳＬ２、ＳＬ４、・・・、ＳＬｎ）に相反する方向に可変するエージング電圧を段階的に印加する。
【０１４７】
例えば、図１５及び図２０のように、第１〜第５ステップ（Ａ１〜Ａ５）に亘って奇数スキャンライン（ＳＬ１、ＳＬ３、・・・、ＳＬｎ-１）にはＶhigh２、Ｖmiddle、Ｖlow、Ｖmiddle、Ｖhigh２の順に可変して、偶数スキャンライン（ＳＬ２、ＳＬ４、・・・、ＳＬｎ）にはＶlow、Ｖmiddle、Ｖhigh２、Ｖmiddle、Ｖlowの順に可変するエージング電圧が供給されるか、または、図１６〜図８Ｂのように、第１〜第２ｉステップに可変されるエージング電圧（ＡＶ１〜ＡＶｉ）が供給される。
【０１４８】
このために、レベルシフタ部２４３は多段階のエージング電圧（ＡＶ１〜ＡＶｉ）を全て入力して利用するか、または、最高エージング電圧（ＡＶ１）と最低のエージング電圧（ＡＶｉ）のみを入力した後、分圧抵抗で最高エージング電圧（ＡＶ１）を分圧して利用するようになる。
【０１４９】
そして、エージング期間（ＡＰＤ）を分割する多段階（Ａ１〜Ａｉ）は、図２０のように、エージング期間（ＡＰＤ）をシフトレジスタ２４０のダミーステージ（ＤＳＴ１〜ＤＳＴｋ）の各々がイネーブル電圧であるロー電圧を出力する期間に区分されることができる。
【０１５０】
図２１は、本発明の第６実施形態の有機ＥＬ表示パネルの駆動装置を示し、図２２は、その駆動装置の駆動波形を示すものである。
【０１５１】
図２１に示した有機ＥＬ表示パネルの駆動装置は、図１９に示した駆動装置と対比してスキャンドライバ２５２のシフトレジスタ２６０がダミーステージ（ＤＳＴ）なしにｎ個のステージ（ＳＴ１〜ＳＴｎ）のみを備えることを除いては、同一の構成要素を備える。従って、重複される構成要素に対する説明は省略する。
【０１５２】
スキャンドライバ２５２は、フレーム（Ｆｉ）単位で入力されたスタートパルス（Ｖst）を順番にシフトさせながらｎ個の出力信号（Ｓ１〜Ｓｎ）を出力するシフトレジスタ２６０と、シフトレジスタ２６０の出力信号（Ｓ１〜Ｓｎ）の各々をレベルシフティングしてスキャンライン（ＳＬ１〜ＳＬｎ）の各々に供給するレベルシフタ部２６２とを備える。
【０１５３】
シフトレジスタ２６０に備えられたｎ個のステージ（ＳＴ１〜ＳＴｎ）は、スタートパルス（Ｖst）をクロック信号（ＣＬＫ）によって順番にシフトさせて、図２２のように、第１〜第ｎ出力信号（Ｓ１〜Ｓｎ）をレベルシフタ部２６２に出力し、その出力信号（Ｓ１〜Ｓｎ）の各々は、次の段のステージのスタートパルス入力ラインに供給される。これによって、図２２のように、第１〜第ｎステージ（ＳＴ１〜ＳＴｎ）がロー電圧の出力信号（Ｓ１〜Ｓｎ）を順番に出力する。このようなスキャン期間（ＳＰＤ）の次にエージング期間（ＡＰＤ）を確保できるように、次のフレーム（Ｆｉ+１）のスタートパルス（Ｖst）の供給時点が遅延される。このようなエージング期間の間（ＡＰＤ）、第１〜第ｎステージ（ＳＴ１〜ＳＴｎ）は、全てハイ電圧の出力信号（Ｓ１〜Ｓｎ）を出力する。
【０１５４】
レベルシフタ部２６２に備えられたｎ個のレベルシフタ（ＬＳ１〜ＬＳｎ）は、図２２のように、スキャン期間（ＳＰＤ）において、シフトレジスタ２６０の出力信号（Ｓ１〜Ｓｎ）のロー電圧が入力されると、スキャンロー電圧（Ｖlow）を供給し、ハイ電圧が入力されると第１スキャンハイ電圧（Ｖhigh１）を選択して、スキャンライン（ＳＬ１〜ＳＬｎ）の各々に供給する。そして、レベルシフタ（ＬＳ１〜ＬＳｎ）は、図２２のように、エージング期間（ＡＰＤ）において、シフトレジスタ２４０の出力信号（Ｓ１〜Ｓｎ）のハイ電圧が入力されると奇数スキャンライン（ＳＬ１、ＳＬ３、・・・、ＳＬｎ-１）と偶数スキャンライン（ＳＬ２、ＳＬ４、・・・、ＳＬｎ）に相反する方向に可変されるエージング電圧を段階的に印加する。
【０１５５】
例えば、図１６及び図２２のように、第１〜第５ステップ（Ａ１〜Ａ５）に亘って奇数スキャンライン（ＳＬ１、ＳＬ３、・・・、ＳＬｎ-１）にはＶhigh２、Ｖmiddle、Ｖlow、Ｖmiddle、Ｖhigh２の順に可変し、偶数スキャンライン（ＳＬ２、ＳＬ４、・・・、ＳＬｎ）には、Ｖlow、Ｖmiddle、Ｖhigh２、Ｖmiddle、Ｖlowの順に可変するエージング電圧が供給されるか、または、図１６〜図１８Ｂのように、第１〜第２ｉステップに可変されるエージング電圧（ＡＶ１〜ＡＶｉ）が供給される。
【０１５６】
これによって、エージング期間（ＡＰＤ）において、データライン（ＤＬ１〜ＤＬｍ）になりながら隣接したスキャンライン間に多段階の電圧差を有することにより、ＥＬセル３６の全体がセルフ−エージングされる。これによって、ＥＬパネル３０の寿命を延長できるだけでなく、ライン欠陥などのような不良を防止できるようになる。
【０１５７】
図２３は本発明の第７実施形態の有機EL表示装置の駆動方法を説明するためのスキャンライン及びデータラインの駆動波形を示す図面である。
【０１５８】
本発明の第７実施形態の有機EL表示装置の駆動方法は、駆動中にELパネルをエージングさせるエージング期間（APD）を含む。例えば、図３のように一フレーム（Fi）がELセルをライン順に発光させるためのスキャン期間（ＳＰＤ）と、隣接した二つのデータラインの電圧差によってELセルがセルフエージングされるようにするエージング期間（APD）を含む。このために、フレーム（Fi）期間はスキャン期間（ＳＰＤ）とは別途のエージング期間（APD）を確保するように増加される。
【０１５９】
一フレーム（Fi）の中、スキャン期間（ＳＰＤ）には、ｎ個のスキャンライン（ＳＬ１〜ＳＬｎ）に順番に負極製のスキャンパルス、即ち、スキャンロー電圧（Ｖlow）が供給されるし、残りの期間には、スキャンハイ電圧（Vhigh）が供給される期間ごとにｍ個のデータライン（ＤＬ１〜ＤＬｍ）に正極性のデータ信号（例えば、電流）が供給される。これによって、スキャンロー電圧（Ｖlow）と正極性のデータ信号により順方向電圧が印加されたＥＬセルが発光してデータ信号に相応する光を発生する一方、スキャンハイ電圧（Ｖhigh１）により逆方向電圧が印加されたＥＬセルは発光しなくなる。
【０１６０】
このようなスキャン期間（ＳＰＤ）の次のエージング期間（ＡＰＤ）では、スキャンライン（ＳＬ１〜ＳＬｎ）の全てをフローティングさせながら、データライン（ＤＬ１〜ＤＬｍ）の各々が隣接したデータラインと電圧差を有することによって、ELセルは自分の状態によって任意の電圧がかけられることによりセルフエージングされる。その結果、ELセルは更に安定化されるようになる。
例えば、エージング期間（APD)で各サブ画素（ＲＧＢ）に連結されたデータライン（ＤＬ１〜Ｄｍ）に図２４に示したのような信号を繰り返して印加することができる。これを一例を上げて具体的に説明すると、第１状態でのようにＲサブ画素に連結されたデータライン（ＤＬ１）にハイ電圧（Vhigh）を印加し、Ｇサブ画素及びＢサブ画素に連結されたデータライン（ＤＬ２、ＤＬ３）にロー電圧（Vlow）を印加し、このような第１状態の電圧印加を他のデータライン（ＤＬ４〜ＤＬｍ）に繰り返して適用する。従って、データライン（ＤＬ１〜ＤＬｍ）の各々が隣接したデータラインと電圧差を有することによって、ELセルは自分の状態によって任意の電圧がかけられるによりセルフエージングされる。
【０１６１】
また、第１２状態でのように、Ｒサブ画素に連結されたデータライン（ＤＬ１）にロー電圧（Vlow）を印加し、Ｇサブ画素に連結されたデータライン（ＤＬ２）にハイ電圧（Vhigh）を印加し、Ｂサブ画素に連結されたデータライン（ＤＬ３）はフローティング（Floating）させる。従って、データライン（ＤＬ１〜ＤＬｍ）の各々が隣接したデータラインと電圧差を有することによって、ELセルは自分の状態によって任意の電圧がかけられることによりセルフエージングされる。
【０１６２】
結果的に、本発明の実施形態のEL表示パネルの駆動方法は、各サブ画素（ＲＧＢ）に印加される信号をハイ電圧（Vhigh）とロー電圧（Vlow）及びフローティング（Floating）等の三つの状態を組合して印加することによって、各データライン（ＤＬ１〜ＤＬｍ）が隣接したデータラインと電圧差を有することによってELセルがセルエージングされる。
【０１６３】
このように、本発明の実施形態の有機EL表示装置の駆動方法は、一フレーム（Fi）でELセルの全体がセルフエージングされるエージング期間(APD)を確保することによって、駆動中にもELパネルをエージングすることができる。従って、ELパネルの寿命を延長できると共に、ストレスによるラインの欠陥等のような不良を防ぐことができる。
【０１６４】
図２５は、本発明の第７実施形態の有機EL表示パネルの駆動装置を示す図である。
【０１６５】
図２５に示した有機EL表示パネルの駆動装置は、スキャンライン（ＳＬ１〜ＳＬｎ）とデータライン（ＤＬ１〜ＤＬｍ）の交差部ごとに形成されたELセル３３６を備える ELパネル３３０と、スキャンライン（ＳＬ１〜ＳＬｎ）を駆動するスキャンドライバ３３２と、データライン（ＤＬ１〜ＤＬｍ）を駆動するデータドライバ３３４と、データライン（ＤＬ１〜ＤＬｍ）を利用してエージングするための信号を供給するエージング電圧供給部３５０と、データドライバ３３４とエージング電圧供給部３５０をスイッチングするMUX３４０とを備える。
【０１６６】
ＥＬパネル３３０に形成されたＥＬセル３３６の各々は、等価的に陽極であるデータライン（ＤＬ）と陰極であるスキャンライン（ＳＬ）との間に順方向に接続したダイオードで表現される。このようなＥＬセル３３６の各々はスキャン期間（ＳＰＤ）でスキャンライン（ＳＬ）にスキャンロー電圧（Ｖlow）が供給され、データライン（ＤＬ）に正極性のデータ信号（電流）が供給されて、順方向電圧が印加されると、発光してデータ信号に相応する光を発生するし、スキャンハイ電圧（Ｖhigh）によって逆方向電圧が印加されると発光しなくなる。そして、ELセル３３６の各々がエージング期間（APD）でスキャンライン（ＳＬ１〜ＳＬｎ）がフローティングされることによって、各データライン（ＤＬ１〜ＤＬｍ）の各々に隣接したデータラインと電圧差を有するように電圧が印加され発光せずにセルフエージングされる。
【０１６７】
スキャンドライバ３３２は、一フレーム（Ｆi）のスキャン期間（ＳＰＤ）でｎ個のスキャンライン（ＳＬ１〜ＳＬｎ）に順番にスキャンロー電圧（Ｖlow）を供給し、残りの期間ではスキャンハイ電圧（Ｖhigh）を供給する。
【０１６８】
データドライバ３３４は、スキャン期間（ＳＰＤ）でスキャンライン（ＳＬ１〜ＳＬｎ）がイネーブルされる期間毎にｍ個のデータライン（ＤＬ１〜ＤＬｍ）にデータ信号を供給する。
【０１６９】
エージング電圧供給部３５０は、エージング期間（APD）の間、データライン（ＤＬ１〜ＤＬｍ）に供給されるエージング信号を生成する。ここで、エージング信号はハイ電圧（Ｖhigh）とロー電圧（Ｖlow）及びフローティング（Floating）等の三つの電圧形態を組合して、各サブ画素（ＲＧＢ）に連結されたデータライン（ＤＬ１〜ＤＬｍ）に繰り返して印加されることができる。また、エージング信号はハイ電圧（Ｖhigh）とロー電圧（Ｖlow）及びフローティング（Floating）等の三つの電圧形態を組合して、各サブ画素（ＲＧＢ）の区分なしにデータライン（ＤＬ１〜ＤＬｍ）の各々に隣接したデータラインと電圧差を有するように印加される。
【０１７０】
ＭＵＸ３４０はスキャン期間（ＳＰＤ）の間、データドライバ３３４から供給されるデータ信号をデータライン（ＤＬ１〜ＤＬｍ）に各々供給することによって画像を実現し、エージング期間（APD）には、エージング電圧供給部３５０からのエージング信号をデータライン（ＤＬ１〜ＤＬｍ）に各々供給することによって、各ELセルをセルフエージングさせる。
【０１７１】
ここで、本発明の実施形態の有機EL表示パネルの駆動装置は、エージング電圧供給部３５０とＭＵＸ３４０及びデータドライバ３３４が一体化され、一つのチップで集積化されることができる。
【０１７２】
このような構造を有する本発明の実施形態の有機ＥＬ表示パネルは、エージング期間（ＡＰＤ）でデータライン（ＤＬ１〜ＤＬｍ）になるに連れて隣接したスキャンライン間に多段階の電圧差を有するようになることによって、ＥＬセル３３６の全体がセルフエージングされる。従って、ＥＬパネル３３０の寿命を延長することが可能であると共に、ラインの欠陥等のような不良を防ぐことができる。
【図面の簡単な説明】
【０１７３】
【図１】従来のパッシブマトリックス型有機ＥＬ表示装置を等価的に示す図面である。
【図２】図１に示した有機ＥＬ表示パネルの駆動波形図である。
【図３】本発明に係る有機ＥＬ表示パネル駆動方法を説明するための駆動波形図である。
【図４】本発明の第１実施形態の有機ＥＬ表示パネル駆動装置を示すブロック図である。
【図５】図４に示した有機ＥＬ表示パネル駆動装置の駆動波形図である。
【図６】本発明の第２実施形態の有機ＥＬ表示パネル駆動装置を示すブロック図である。
【図７】図６に示した有機ＥＬ表示パネル駆動装置の駆動波形図である。
【図８】本発明に係る有機ＥＬ表示パネル駆動方法を説明するための駆動波形図である。
【図９】本発明の第３実施形態の有機ＥＬ表示パネル駆動装置を示すブロック図である。
【図１０】図９に示した駆動装置の駆動波形図である。
【図１１】エージング期間において図９に示したスキャンドライバの駆動波形図である。
【図１２】エージング期間において図９に示したスキャンドライバの別の駆動波形図である。
【図１３】本発明の第４実施形態の有機ＥＬ表示パネル駆動装置を示すブロック図である。
【図１４】図１３に示した駆動装置の駆動波形図である。
【図１５】本発明に係る有機ＥＬ表示パネル駆動方法を説明するための駆動波形図である。
【図１６】本発明のエージング期間における他のスキャン駆動波形図である。
【図１７Ａ】本発明のエージング期間におけるさらに別のスキャン駆動波形図である。
【図１７Ｂ】本発明のエージング期間におけるさらに別のスキャン駆動波形図である。
【図１８Ａ】本発明のエージング期間におけるさらに他のスキャン駆動波形図である。
【図１８Ｂ】本発明のエージング期間におけるさらに他のスキャン駆動波形図である。
【図１９】本発明の第５実施形態の有機ＥＬ表示パネル駆動装置を示すブロック図である。
【図２０】図１９に示した駆動装置の駆動波形図である。
【図２１】本発明の第６実施形態の有機ＥＬ表示パネル駆動装置を示すブロック図である。
【図２２】図２１に示した駆動装置の駆動波形図である。
【図２３】本発明の第７実施形態の有機ＥＬ表示パネル駆動装置を説明するための駆動波形図である。
【図２４】本発明の第７実施形態のエージング期間で、各データラインに供給される電圧の形態を示す図面である。
【図２５】本発明の第７実施形態の有機ＥＬ表示パネル駆動装置を示図面である。
【符号の説明】
【０１７４】
２０、３０、１２０、１３０、２２０、２３０：ＥＬパネル
２２、３２、５２、１２２、１３２、１５２、２２２、２３２、２５２：スキャンドライバ
２４、３４、１２４、１３４、２２４、２３４：データドライバ
２６、３６、１２６、１３６、２２６、２３６：ＥＬセル
４０、６０、１４０、１６０：シフトレジスタ
４２、６２、１４２、１６２、２４２、２６２：レベルシフタ部
ＳＴ１〜ＳＴｎ：第１〜第ｎステージ
ＤＳＴ１〜ＤＳＴｋ：第１〜第ｋダミーステージ
ＬＳ１〜ＬＳｎ：第１〜第ｎレベルシフタ
３４０：ＭＵＸ
３５０：エージング電圧供給部
【図１】
2006058889.tif 000003
【図２】
2006058889.tif 000004
【図３】
2006058889.tif 000005
【図４】
2006058889.tif 000006
【図５】
2006058889.tif 000007
【図６】
2006058889.tif 000008
【図７】
2006058889.tif 000009
【図８】
2006058889.tif 000010
【図９】
2006058889.tif 000011
【図１０】
2006058889.tif 000012
【図１１】
2006058889.tif 000013
【図１２】
2006058889.tif 000014
【図１３】
2006058889.tif 000015
【図１４】
2006058889.tif 000016
【図１５】
2006058889.tif 000017
【図１６】
2006058889.tif 000018
【図１７Ａ】
2006058889.tif 000019
【図１７Ｂ】
2006058889.tif 000020
【図１８Ａ】
2006058889.tif 000021
【図１８Ｂ】
2006058889.tif 000022
【図１９】
2006058889.tif 000023
【図２０】
2006058889.tif 000024
【図２１】
2006058889.tif 000025
【図２２】
2006058889.tif 000026
【図２３】
2006058889.tif 000027
【図２４】
2006058889.tif 000028
【図２５】
2006058889.tif 000029